(57)【要約】【課題】情報信号記録媒体とバッファメモリとの間で第１，第２の情報信号の転送速度の差を吸収する。【解決手段】情報信号記録媒体に対する一つのピックアップヘッドによる第１，第２の情報信号への転送速度と、バッファメモリ内の第１，第２の情報信号の転送速度との差を吸収する際に、一つのピックアップヘッドによる第１，第２の情報信号への転送レート…Ｒｐ、第１の情報信号の転送レート…Ｒａ、第２の情報信号の転送レート…Ｒｂ、第１の情報信号の記録容量…Ｙａ、第２の情報信号の記録容量…Ｙｂ、ピックアップヘッドが情報信号記録媒体上での第１の領域から第２の領域に移動するシーク時間…Ｔａｂ、ピックアップヘッドが情報信号記録媒体上での第２の領域から第１の領域に移動するシーク時間…Ｔｂａとし、（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）を満足するように、第１，第２の情報信号を再生する。【選択図】図３
2008034097.tif 000002
【特許請求の範囲】
【請求項１】
第１，第２の情報信号を第１，第２の位置にそれぞれ記録した情報信号記録媒体を回転し、前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力し、前記情報信号記録媒体上の第１，第２の位置から時分割して再生した前記第１，第２の情報信号を前記第１，第２の転送レートより速い転送レートで前記バッファメモリに時分割して転送する一つのヘッドとを少なくとも備え、前記ヘッドによって再生された前記第１，第２の情報信号の転送レートと、前記バッファメモリから出力する前記第１，第２の情報信号の転送レートとの差を前記バッファメモリで吸収するように構成した情報信号再生装置であって、
前記バッファメモリは、前記第１の情報信号と前記第２の情報信号とを共有して一時的に記憶する１つのメモリー領域からなり、
前記ヘッドから前記バッファメモリに転送する第１，第２の情報信号の転送レート・・・Ｒｐ、
前記第１の情報信号を前記バッファメモリから出力する転送レート・・・Ｒａ、
前記第２の情報信号を前記バッファメモリから出力する転送レート・・・Ｒｂ、
前記第１の情報信号を前記ヘッドから前記バッファメモリに転送する情報単位量・・・Ｙａ、
前記第２の情報信号を前記ヘッドから前記バッファメモリに転送する情報単位量・・・Ｙｂ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）
Ｙａ≧Ｒｐ×Ｒａ×（Ｔａｂ＋Ｔｂａ）／（Ｒｐ−Ｒａ−Ｒｂ）
Ｙｂ≧Ｒｐ×Ｒｂ×（Ｔａｂ＋Ｔｂａ）／（Ｒｐ−Ｒａ−Ｒｂ）
の関係式を満たして前記情報信号記録媒体から前記第１，第２の情報信号を再生することを特徴とする情報信号再生装置。
【請求項２】
第１，第２の情報信号をそれぞれ記録する情報信号記録媒体を回転し、第１，第２の転送レートでそれぞれ入力した前記第１，第２の情報信号を一時的に記憶するバッファメモリと、前記情報信号記録媒体の径方向に移動自在に設けられ、前記バッファメモリから時分割して読み出した前記第１，第２の情報信号を前記第１，第２の転送レートより速い転送レートで前記情報信号記録媒体上の第１，第２の位置に時分割で記録する一つのヘッドとを少なくとも備え、前記ヘッドによる前記第１，第２の情報信号への転送レートと、前記バッファメモリに入力した前記第１，第２の情報信号の転送レートとの差を前記バッファメモリで吸収するように構成した情報信号記録装置であって、
前記バッファメモリは、前記第１の情報信号と前記第２の情報信号とを共有して一時的に記憶する１つのメモリー領域からなり、
前記ヘッドに前記バッファメモリから転送する第１，第２の情報信号の転送レート・・・Ｒｐ、
前記第１の情報信号を前記バッファメモリに入力する前記選択された転送レート・・・Ｒａ、
前記第２の情報信号を前記バッファメモリに入力する前記選択された転送レート・・・Ｒｂ、
前記第１の情報信号を前記ヘッドに前記バッファメモリから転送する情報単位量・・・Ｙａ、
前記第２の情報信号を前記ヘッドに前記バッファメモリから転送する情報単位量・・・Ｙｂ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）
Ｙａ≧Ｒｐ×Ｒａ×（Ｔａｂ＋Ｔｂａ）／（Ｒｐ−Ｒａ−Ｒｂ）
Ｙｂ≧Ｒｐ×Ｒｂ×（Ｔａｂ＋Ｔｂａ）／（Ｒｐ−Ｒａ−Ｒｂ）
の関係式を満たして前記第１，第２の情報信号を前記情報信号記録媒体に記録することを特徴とする情報信号記録装置。
【請求項３】
第１，第２の情報信号を記録又は再生する記録再生用の情報信号記録媒体を回転し、前記情報信号記録媒体上の第１の位置から再生した一方の情報信号を一時的に記憶して、第１の転送レートで出力すると共に、第２の転送レートで入力した前記他方の情報信号を一時的に記憶するバッファメモリと、前記情報信号記録媒体の径方向に移動自在に設けられ、前記情報信号記録媒体上の第１の位置から再生した一方の情報信号を前記第１，第２の転送レートより速い転送レートで前記バッファメモリに転送する動作と、前記バッファメモリに入力した他方の情報信号を前記第１，第２の転送レートより速い転送レートで前記情報信号記録媒体上の第２の位置に記録する動作とを時分割して行う一つのヘッドとを少なくとも備え、前記ヘッドによる前記第１，第２の情報信号への転送レートと、前記バッファメモリから入出力する前記第１，第２の情報信号の転送レートとの差を前記バッファメモリで吸収するように構成した情報信号記録再生装置であって、
前記バッファメモリは、前記第１の情報信号と前記第２の情報信号とを共有して一時的に記憶する１つのメモリー領域からなり、
前記ヘッドにより前記バッファメモリに対して入出力される第１，第２の情報信号の転送レート・・・Ｒｐ、
前記第１，第２の情報信号の記録する方の情報信号を前記バッファメモリに入力する前記選択された転送レート・・・Ｒａ、
前記第１，第２の情報信号の再生する方の情報信号を前記バッファメモリから出力する転送レート・・・Ｒｂ、
前記記録する方の情報信号を前記ヘッドに前記バッファメモリから転送する情報単位量・・・Ｙａ、
前記再生する方の情報信号を前記ヘッドから前記バッファメモリに転送する情報単位量・・・Ｙｂ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）
Ｙａ≧Ｒｐ×Ｒａ×（Ｔａｂ＋Ｔｂａ）／（Ｒｐ−Ｒａ−Ｒｂ）
Ｙｂ≧Ｒｐ×Ｒｂ×（Ｔａｂ＋Ｔｂａ）／（Ｒｐ−Ｒａ−Ｒｂ）
の関係式を満たして前記第１，第２の情報信号を前記情報信号記録媒体に記録再生することを特徴とする情報信号記録再生装置。
【請求項４】
第１，第２の情報信号を第１，第２の位置にそれぞれ記録した情報信号記録媒体を回転し、前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力し、前記情報信号記録媒体上の第１，第２の位置から時分割して再生した前記第１，第２の情報信号を前記第１，第２の転送レートより速い転送レートで前記バッファメモリに時分割して転送する一つのヘッドとを少なくとも備え、前記ヘッドによって再生された前記第１，第２の情報信号の転送レートと、前記バッファメモリから出力する前記第１，第２の情報信号の転送レートとの差を前記バッファメモリで吸収するように構成した情報信号再生装置であって、
前記バッファメモリは、前記第１の情報信号と前記第２の情報信号とを共有して一時的に記憶する１つのメモリー領域からなり、
前記ヘッドから前記バッファメモリに転送する第１，第２の情報信号の転送レート・・・Ｒｐ、
前記第１の情報信号を前記バッファメモリから出力する転送レート・・・Ｒａ、
前記第２の情報信号を前記バッファメモリから出力する転送レート・・・Ｒｂ、
前記バッファメモリの容量・・・Ｙｍ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
Ｙｍ＞｛（Ｒｐ−Ｒａ）×Ｒａ＋（Ｒｐ−Ｒｂ）×Ｒｂ｝×（Ｔａｂ＋Ｔｂａ）
／（Ｒｐ−Ｒａ−Ｒｂ）
の関係式を満たして前記情報信号記録媒体から前記第１，第２の情報信号を再生することを特徴とする情報信号再生装置。
【請求項５】
第１，第２の情報信号をそれぞれ記録する情報信号記録媒体を回転し、第１，第２の転送レートでそれぞれ入力した前記第１，第２の情報信号を一時的に記憶するバッファメモリと、前記情報信号記録媒体の径方向に移動自在に設けられ、前記バッファメモリから時分割して読み出した前記第１，第２の情報信号を前記第１，第２の転送レートより速い転送レートで前記情報信号記録媒体上の第１，第２の位置に時分割で記録する一つのヘッドとを少なくとも備え、前記ヘッドによる前記第１，第２の情報信号への転送レートと、前記バッファメモリに入力した前記第１，第２の情報信号の転送レートとの差を前記バッファメモリで吸収するように構成した情報信号記録装置であって、
前記バッファメモリは、前記第１の情報信号と前記第２の情報信号とを共有して一時的に記憶する１つのメモリー領域からなり、
前記ヘッドに前記バッファメモリから転送する第１，第２の情報信号の転送レート・・・Ｒｐ、
前記第１の情報信号を前記バッファメモリに入力する前記選択された転送レート・・・Ｒａ、
前記第２の情報信号を前記バッファメモリに入力する前記選択された転送レート・・・Ｒｂ、
前記バッファメモリの容量・・・Ｙｍ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
Ｙｍ＞｛（Ｒｐ−Ｒａ）×Ｒａ＋（Ｒｐ−Ｒｂ）×Ｒｂ｝×（Ｔａｂ＋Ｔｂａ）／（Ｒｐ−Ｒａ−Ｒｂ）
の関係式を満たして前記第１，第２の情報信号を前記情報信号記録媒体に記録することを特徴とする情報信号記録装置。
【請求項６】
第１，第２の情報信号を記録又は再生する記録再生用の情報信号記録媒体を回転し、前記情報信号記録媒体上の第１の位置から再生した一方の情報信号を一時的に記憶して、第１の転送レートで出力すると共に、第２の転送レートで入力した前記他方の情報信号を一時的に記憶するバッファメモリと、前記情報信号記録媒体の径方向に移動自在に設けられ、前記情報信号記録媒体上の第１の位置から再生した一方の情報信号を前記第１，第２の転送レートより速い転送レートで前記バッファメモリに転送する動作と、前記バッファメモリに入力した他方の情報信号を前記第１，第２の転送レートより速い転送レートで前記情報信号記録媒体上の第２の位置に記録する動作とを時分割して行う一つのヘッドとを少なくとも備え、前記ヘッドによる前記第１，第２の情報信号への転送レートと、前記バッファメモリから入出力する前記第１，第２の情報信号の転送レートとの差を前記バッファメモリで吸収するように構成した情報信号記録再生装置であって、
前記バッファメモリは、前記第１の情報信号と前記第２の情報信号とを共有して一時的に記憶する１つのメモリー領域からなり、
前記ヘッドにより前記バッファメモリに対して入出力される第１，第２の情報信号の転送レート・・・Ｒｐ、
前記第１，第２の情報信号の記録する方の情報信号を前記バッファメモリに入力する前記選択された転送レート・・・Ｒａ、
前記第１，第２の情報信号の再生する方の情報信号を前記バッファメモリから出力する転送レート・・・Ｒｂ、
前記バッファメモリの容量・・・Ｙｍ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
Ｙｍ＞｛（Ｒｐ−Ｒａ）×Ｒａ＋（Ｒｐ−Ｒｂ）×Ｒｂ｝×（Ｔａｂ＋Ｔｂａ）／（Ｒｐ−Ｒａ−Ｒｂ）
の関係式を満たして前記情報信号記録媒体に前記第１，第２の情報信号を記録再生することを特徴とする情報信号記録再生装置。
【発明の詳細な説明】
【技術分野】
【０００１】
本発明は、２つの映画等の映像情報や２つの音楽等の音声情報などによる第１，第２の情報信号を、バッファメモリを介して一つのピックアップ（又はヘッド）により時分割で光又は磁気などのディスク状記録媒体に記録及び／又は再生する情報信号再生装置、情報信号記録装置、及び情報信号記録再生装置に関するものである。
【背景技術】
【０００２】
従来、情報信号記録媒体として光ディスクを適用する光ディスク装置（例えばＤＶＤプレーヤ）などでは、映画等の映像情報や音楽等の音声情報などの情報信号を圧縮して光ピックアップにより光ディスクに記録し、再生時に光ディスクから光ピックアップにより読み出した圧縮情報信号を伸長している。また、この種の圧縮伸長技術を適用した装置では、例えば、４Ｍビット程度のバッファメモリを装置の内部に持っていて、光ディスクから読み出した１０．０８Ｍｂｐｓの転送レートの信号を、この１０．０８Ｍｂｐｓより低い可変転送レートの信号の転送レートに変換する際に転送レートの差をバッファメモリで吸収している。
【０００３】
更に、特開平１０−９２１５８号公報（特許文献１）には、複数のストーリーやシーンのデータを記録媒体に記録する場合に、再生時のピックアップの物理的な移動距離が少なくて済み、再生機のとぎれや乱れが生じるのを抑圧できるようにする技術的思想が開示されている。ここでは、光学式ディスクに、例えば同時進行する同一イベントを複数のアングルから撮影したマルチアングルシーンを記録することも考えられており、このマルチアングルシーン等の機能を実現するためにディスク上のピックアップの位置を移動する間のデータを再生出来ない時間をバッファメモリで吸収している。この際、光ディスクから数種類のアングル中に希望した１つのアングルを選択した際に、光ディスクに間欠的に記録してある１つのアングルの信号を、ピックアップをジャンプさせながら選択的に再生し、この間の信号の連続性をバッファメモリにて吸収するに必要な、ピックアップのシーク時間と、バッファメモリ容量との関係が開示されている。
【０００４】
また、本出願人は、特開平６−１３９６９６号公報（特許文献２）に、バッファメモリにて転送レートの差を吸収し、１つのディスクから２つ以上の信号を記録再生する提案を行っている。即ち、特開平６−１３９６９６号公報に開示された記録再生装置では、記録再生対象の記録信号の情報量を圧縮して発生させた第１の転送レートを有するデジタルデータを、予め定められた変調方式に従って変調されているとともに前記した第１の転送レートよりも高い第２の転送レートを有する記録再生用のデジタルデータに変換して記録媒体に書込む記録動作と、記録媒体に記録されている記録再生用のデジタルデータを、第１の転送レートを有するデジタルデータに復原した後に再生信号に変換して出力する再生動作とを、記録媒体に記録するための情報信号と、記録媒体から再生された情報信号とが同時信号となるように時分割的に行うものである。
【０００５】
【特許文献１】特開平１０−９２１５８号公報
【特許文献２】特開平６−１３９６９６号公報
【発明の開示】
【発明が解決しようとする課題】
【０００６】
ところで、上記特開平６−１３９６９６号公報に開示された記録再生装置では、一つのデジタルオーディオ信号の圧縮比率が１／５の場合に適用して、遊び時間が無い状態で記録再生動作を良好に行うことができるように構成されているが、近年、光ディスクなどの情報信号記録媒体の高密度、大容量化、デジタル化に伴い２つの情報信号を情報信号記録媒体の異なる領域に記録して、情報信号記録媒体上で一つの光ピックアップヘッドにより２つの情報信号を交互に記録及び／又は再生することが要求されており、本発明は上記の要求を満たすために従来の技術に対して改良を図ったものである。
【課題を解決するための手段】
【０００７】
本発明は上記課題に鑑みてなされたものであり、第１の発明は、第１，第２の情報信号を第１，第２の位置にそれぞれ記録した情報信号記録媒体を回転し、前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力し、前記情報信号記録媒体上の第１，第２の位置から時分割して再生した前記第１，第２の情報信号を前記第１，第２の転送レートより速い転送レートで前記バッファメモリに時分割して転送する一つのヘッドとを少なくとも備え、
前記ヘッドによって再生された前記第１，第２の情報信号の転送レートと、前記バッファメモリから出力する前記第１，第２の情報信号の転送レートとの差を前記バッファメモリで吸収するように構成した情報信号再生装置であって、
前記バッファメモリは、前記第１の情報信号と前記第２の情報信号とを共有して一時的に記憶する１つのメモリー領域からなり、
前記ヘッドから前記バッファメモリに転送する第１，第２の情報信号の転送レート…Ｒｐ、
前記第１の情報信号を前記バッファメモリから出力する転送レート…Ｒａ、
前記第２の情報信号を前記バッファメモリから出力する転送レート…Ｒｂ、
前記第１の情報信号を前記ヘッドから前記バッファメモリに転送する情報単位量…Ｙａ、
前記第２の情報信号を前記ヘッドから前記バッファメモリに転送する情報単位量…Ｙｂ、
前記ヘッドが前記情報信号記録媒体上の第１の位置から第２の位置に移動に要する時間…Ｔａｂ、
前記ヘッドが前記情報信号記録媒体上の第１の位置から第２の位置に移動に要する時間…Ｔｂａ    とし、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）
Ｙａ≧Ｒｐ×Ｒａ×（Ｔａｂ＋Ｔｂａ）／（Ｒｐ−Ｒａ−Ｒｂ）
Ｙｂ≧Ｒｐ×Ｒｂ×（Ｔａｂ＋Ｔｂａ）／（Ｒｐ−Ｒａ−Ｒｂ）
の関係式を満たして前記情報信号記録媒体から前記第１，第２の情報信号を再生することを特徴とする情報信号再生装置である。
【０００８】
また、第２の発明は、第１，第２の情報信号をそれぞれ記録する情報信号記録媒体を回転し、第１，第２の転送レートでそれぞれ入力した前記第１，第２の情報信号を一時的に記憶するバッファメモリと、前記情報信号記録媒体の径方向に移動自在に設けられ、前記バッファメモリから時分割して読み出した前記第１，第２の情報信号を前記第１，第２の転送レートより速い転送レートで前記情報信号記録媒体上の第１，第２の位置に時分割で記録する一つのヘッドとを少なくとも備え、前記ヘッドによる前記第１，第２の情報信号への転送レートと、前記バッファメモリに入力した前記第１，第２の情報信号の転送レートとの差を前記バッファメモリで吸収するように構成した情報信号記録装置であって、
前記バッファメモリは、前記第１の情報信号と前記第２の情報信号とを共有して一時的に記憶する１つのメモリー領域からなり、
前記ヘッドに前記バッファメモリから転送する第１，第２の情報信号の転送レート…Ｒｐ、
前記第１の情報信号を前記バッファメモリに入力する前記選択された転送レート…Ｒａ、
前記第２の情報信号を前記バッファメモリに入力する前記選択された転送レート…Ｒｂ、
前記第１の情報信号を前記ヘッドに前記バッファメモリから転送する情報単位量…Ｙａ、
前記第２の情報信号を前記ヘッドに前記バッファメモリから転送する情報単位量…Ｙｂ、
前記ヘッドが前記情報信号記録媒体上の第１の位置から第２の位置に移動に要する時間…Ｔａｂ、
前記ヘッドが前記情報信号記録媒体上の第２の位置から第１の位置に移動に要する時間…Ｔｂａ    とし、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）
Ｙａ≧Ｒｐ×Ｒａ×（Ｔａｂ＋Ｔｂａ）／（Ｒｐ−Ｒａ−Ｒｂ）
Ｙｂ≧Ｒｐ×Ｒｂ×（Ｔａｂ＋Ｔｂａ）／（Ｒｐ−Ｒａ−Ｒｂ）
の関係式を満たして前記第１，第２の情報信号を前記情報信号記録媒体に記録することを特徴とする情報信号記録装置である。
【０００９】
また、第３の発明は、第１，第２の情報信号を記録又は再生する記録再生用の情報信号記録媒体を回転し、前記情報信号記録媒体上の第１の位置から再生した一方の情報信号を一時的に記憶して、第１の転送レートで出力すると共に、第２の転送レートで入力した前記他方の情報信号を一時的に記憶するバッファメモリと、前記情報信号記録媒体の径方向に移動自在に設けられ、前記情報信号記録媒体上の第１の位置から再生した一方の情報信号を前記第１，第２の転送レートより速い転送レートで前記バッファメモリに転送する動作と、前記バッファメモリに入力した他方の情報信号を前記第１，第２の転送レートより速い転送レートで前記情報信号記録媒体上の第２の位置に記録する動作とを時分割して行う一つのヘッドとを少なくとも備え、前記ヘッドによる前記第１，第２の情報信号への転送レートと、前記バッファメモリから入出力する前記第１，第２の情報信号の転送レートとの差を前記バッファメモリで吸収するように構成した情報信号記録再生装置であって、
前記バッファメモリは、前記第１の情報信号と前記第２の情報信号とを共有して一時的に記憶する１つのメモリー領域からなり、
前記ヘッドにより前記バッファメモリに対して入出力される第１，第２の情報信号の転送レート・・・Ｒｐ、
前記第１，第２の情報信号の記録する方の情報信号を前記バッファメモリに入力する前記選択された転送レート・・・Ｒａ、
前記第１，第２の情報信号の再生する方の情報信号を前記バッファメモリから出力する転送レート・・・Ｒｂ、
前記記録する方の情報信号を前記ヘッドに前記バッファメモリから転送する情報単位量・・・Ｙａ、
前記再生する方の情報信号を前記ヘッドから前記バッファメモリに転送する情報単位量・・・Ｙｂ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）
Ｙａ≧Ｒｐ×Ｒａ×（Ｔａｂ＋Ｔｂａ）／（Ｒｐ−Ｒａ−Ｒｂ）
Ｙｂ≧Ｒｐ×Ｒｂ×（Ｔａｂ＋Ｔｂａ）／（Ｒｐ−Ｒａ−Ｒｂ）
の関係式を満たして前記第１，第２の情報信号を前記情報信号記録媒体に記録再生することを特徴とする情報信号記録再生装置である。
【００１０】
また、第４の発明は、第１，第２の情報信号を第１，第２の位置にそれぞれ記録した情報信号記録媒体を回転し、前記情報信号記録媒体上の第１，第２の位置から時分割して再生した前記第１，第２の情報信号を一時的にバッファメモリに記憶して、前記第１，第２の情報信号を第１，第２の転送レートでそれぞれ出力し、前記情報信号記録媒体上の第１，第２の位置から時分割して再生した前記第１，第２の情報信号を前記第１，第２の転送レートより速い転送レートで前記バッファメモリに時分割して転送する一つのヘッドとを少なくとも備え、前記ヘッドによって再生された前記第１，第２の情報信号の転送レートと、前記バッファメモリから出力する前記第１，第２の情報信号の転送レートとの差を前記バッファメモリで吸収するように構成した情報信号再生装置であって、
前記バッファメモリは、前記第１の情報信号と前記第２の情報信号とを共有して一時的に記憶する１つのメモリー領域からなり、
前記ヘッドから前記バッファメモリに転送する第１，第２の情報信号の転送レート・・・Ｒｐ、
前記第１の情報信号を前記バッファメモリから出力する転送レート・・・Ｒａ、
前記第２の情報信号を前記バッファメモリから出力する転送レート・・・Ｒｂ、
前記バッファメモリの容量・・・Ｙｍ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
Ｙｍ＞｛（Ｒｐ−Ｒａ）×Ｒａ＋（Ｒｐ−Ｒｂ）×Ｒｂ｝×（Ｔａｂ＋Ｔｂａ）
／（Ｒｐ−Ｒａ−Ｒｂ）
の関係式を満たして前記情報信号記録媒体から前記第１，第２の情報信号を再生することを特徴とする情報信号再生装置である。
【００１１】
また、第５の発明は、第１，第２の情報信号をそれぞれ記録する情報信号記録媒体を回転し、第１，第２の転送レートでそれぞれ入力した前記第１，第２の情報信号を一時的に記憶するバッファメモリと、前記情報信号記録媒体の径方向に移動自在に設けられ、前記バッファメモリから時分割して読み出した前記第１，第２の情報信号を前記第１，第２の転送レートより速い転送レートで前記情報信号記録媒体上の第１，第２の位置に時分割で記録する一つのヘッドとを少なくとも備え、前記ヘッドによる前記第１，第２の情報信号への転送レートと、前記バッファメモリに入力した前記第１，第２の情報信号の転送レートとの差を前記バッファメモリで吸収するように構成した情報信号記録装置であって、
前記バッファメモリは、前記第１の情報信号と前記第２の情報信号とを共有して一時的に記憶する１つのメモリー領域からなり、
前記ヘッドに前記バッファメモリから転送する第１，第２の情報信号の転送レート・・・Ｒｐ、
前記第１の情報信号を前記バッファメモリに入力する前記選択された転送レート・・・Ｒａ、
前記第２の情報信号を前記バッファメモリに入力する前記選択された転送レート・・・Ｒｂ、
前記バッファメモリの容量・・・Ｙｍ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
Ｙｍ＞｛（Ｒｐ−Ｒａ）×Ｒａ＋（Ｒｐ−Ｒｂ）×Ｒｂ｝×（Ｔａｂ＋Ｔｂａ）／（Ｒｐ−Ｒａ−Ｒｂ）
の関係式を満たして前記第１，第２の情報信号を前記情報信号記録媒体に記録することを特徴とする情報信号記録装置である。
【００１２】
また、第６の発明は、第１，第２の情報信号を記録又は再生する記録再生用の情報信号記録媒体を回転し、前記情報信号記録媒体上の第１の位置から再生した一方の情報信号を一時的に記憶して、第１の転送レートで出力すると共に、第２の転送レートで入力した前記他方の情報信号を一時的に記憶するバッファメモリと、前記情報信号記録媒体の径方向に移動自在に設けられ、前記情報信号記録媒体上の第１の位置から再生した一方の情報信号を前記第１，第２の転送レートより速い転送レートで前記バッファメモリに転送する動作と、前記バッファメモリに入力した他方の情報信号を前記第１，第２の転送レートより速い転送レートで前記情報信号記録媒体上の第２の位置に記録する動作とを時分割して行う一つのヘッドとを少なくとも備え、前記ヘッドによる前記第１，第２の情報信号への転送レートと、前記バッファメモリから入出力する前記第１，第２の情報信号の転送レートとの差を前記バッファメモリで吸収するように構成した情報信号記録再生装置であって、
前記バッファメモリは、前記第１の情報信号と前記第２の情報信号とを共有して一時的に記憶する１つのメモリー領域からなり、
前記ヘッドにより前記バッファメモリに対して入出力される第１，第２の情報信号の転送レート・・・Ｒｐ、
前記第１，第２の情報信号の記録する方の情報信号を前記バッファメモリに入力する前記選択された転送レート・・・Ｒａ、
前記第１，第２の情報信号の再生する方の情報信号を前記バッファメモリから出力する転送レート・・・Ｒｂ、
前記バッファメモリの容量・・・Ｙｍ、
前記ヘッドが前記情報信号記録媒体上の第１の位置から第２の位置に移動に要する時間・・・Ｔａｂ、
前記ヘッドが前記情報信号記録媒体上の第２の位置から第１の位置に移動に要する時間・・・Ｔｂａ    とし、
Ｙｍ＞｛（Ｒｐ−Ｒａ）×Ｒａ＋（Ｒｐ−Ｒｂ）×Ｒｂ｝×（Ｔａｂ＋Ｔｂａ）／（Ｒｐ−Ｒａ−Ｒｂ）
の関係式を満たして前記情報信号記録媒体に前記第１，第２の情報信号を記録再生することを特徴とする情報信号記録再生装置である。
【００１３】
【００１４】
【００１５】
【００１６】
【発明の効果】
【００１７】
【００１８】
以上詳述したように本発明に係る情報信号再生装置、情報信号記録装置、及び情報信号記録再生装置によると、情報信号記録媒体の最大の転送能力を引き出すことができ、且つ、バッファメモリ内で第１，第２の情報信号の領域を効率よく分割できると共に、ユーザとしてはスムースに第１，第２の情報信号の連続再生、連続記録、または連続記録再生等の機能が得られるなどの効果を奏する。
【発明を実施するための最良の形態】
【００１９】
以下に本発明に係る情報信号再生装置、情報信号記録装置、及び情報信号記録再生装置の一実施例を図１乃至図１５を参照して＜第１実施例＞，＜第２実施例＞の順に詳細に説明する。
【００２０】
＜第１実施例＞
図１は本発明に係る第１実施例の情報信号記録及び／又は再生装置の全体構成を説明するためのブロック図である。
【００２１】
図１に示した如く、本発明に係る第１実施例の情報信号記録及び／又は再生装置１０Ａでは、記録及び／又は再生媒体としてＤＶＤ−ＲＯＭ，ＤＶＤ−ＲＡＭ，ＤＶＤ−ＲＷ，ＤＶＤ＋ＲＷなどの光ディスクとか、ハードディスク，フロッピーディスクなどの磁気ディスクとかに適用できるものであるが、以下の実施例では媒体として光ディスクを適用した場合について説明する。
【００２２】
図１に示した如く、本発明に係る第１実施例の情報信号記録及び／又は再生装置（光ディスクプレーヤ）１０では、スピンドルモータ１１の軸に取り付けたターンテーブル１２上に光ディスク（情報信号記録媒体）１３が回転自在に設けられている。
【００２３】
また、光ディスク１３と対向して光学式のヘッド（以下、光ピックアップと記す）１４が光ディスク１３の径方向に移動自在に設けられている。上記光ピックアップ１４は、再生専用の光ディスク１３に対しては再生可能である一方、記録再生用の光ディスク１３に対しては記録再生可能になっており、図示を省略するものの内部に設けた半導体レーザーを光源とし、コリメータレンズ、対物レンズ等により光ディスク１３上にレーザースポットを照射する。この際、半導体レーザーはレーザー駆動回路により駆動されるが、オーディオ信号とかビデオ信号などの情報信号を記録する場合には入力した情報信号は波形補正回路により波形補正された後にレーザー駆動回路へ入力される。
【００２４】
また、複数のキー２３の選択操作により記録及び／又は再生開始の指令をシステムコントローラ２２が判断して信号処理回路１８、サーボ回路１７に指令し、光ピックピック１４から読み出した信号はプリアンプ１６により、再生信号とサーボ信号とを生成し、光ピックアップ１４はサーボ回路１７で前記サーボ信号を処理することにより、光ディスク１３上のトラックに対してフォーカシング，トラッキングの信号を生成し、ドライバー回路１５により光ピックアップ１４内のアクチュエータを駆動することにより光ピックアップ１４の一巡のサーボ制御を行い、光ディスク１３上のコントロールデータに基づいて、光ディスク１３上の目的のトラックのセクターを再生するように光ピックアップ１４をフィードモータにより光ディスク１３の径方向に移動する。
【００２５】
また、光ピックアップ１４から一つの訂正ブロックを最小の単位として読み出した再生信号は、プリアンプ１６で再生信号をイコライザーで周波数特性を最適化し、ＰＬＬをかけ、また、ＰＬＬのビットクロックと、データの時間軸の比較から生成したジッタ生成回路を持っていて、このジッタ値をシステムコントローラ２２がＡ／Ｄ変換して測定しこの値に従って記録時の波形補正回路を変更する。
【００２６】
また、信号処理回路１８にて、ディジタル信号に変換され、例えば同期検出を行い、光ディスク１３上のＥＦＭ＋信号から、ＮＲＺＩデータにデコードされ、訂正ブロック単位でエラー訂正処理を行い、セクターのアドレス信号と後述する第１，第２の情報信号を得る。これら第１，第２の情報信号は、可変転送レートで圧縮された信号であるので、これを、一時記憶手段となる６４ＭビットのＤＲＡＭを用いたトラック・バッファメモリ１９に一つの訂正ブロックを最小の単位として一時的に記憶し、第１，第２の情報信号の可変転送レートの時間軸の吸収を行う。トラック・バッファメモリ１９から読み出された信号は、オーディオ・ビデオ／エンコーダ・デコーダ（以下、ＡＶ−ＥＮＤＥＣと記す）２０内のデコーダにより、ＭＰＥＧ２に基づいて圧縮した第１，第２の情報信号からオーディオ信号とビデオ信号とを伸長して分離し、これらオーディオ信号とビデオ信号とをそれぞれ図示しないＤ／Ａコンバータにより、音声と映像信号として出力している。
【００２７】
このＡＶ−ＥＮＤＥＣ２０では、光ディスク１３上に書かれたコントロールデータにより、後述する記録モードに対応して、伸長する速度が決定されこれに従って伸長が行われると共に、バッファメモリ２１が接続されている。
【００２８】
また、プリアンプ１６のＰＬＬで生成した光ディスク１３の速度信号をサーボ回路１７に送り、この速度信号により、光ディスク１３をＣＬＶでの回転制御を行っている。また、スピンドルモータ１１のホール素子などの回転位置信号をサーボ回路１７へ帰還し、この信号から生成した速度信号から、一定回転のＦＧ制御も持っている構成としている。このＬＳＩ間の全体の制御を、システムコントローラ２２が行っている。
【００２９】
また、記録したい画像の解像度や、カーレースなどのスピードの速いシーン等を取り分ける場合や、記録時間優先で設定するために、キー入力や外部よりの制御データをシステムコントローラ２２内のマイコンが認識し、切り替え端子をもっていて、これにより記録時間を変更可能とし、設定を外部のユーザーが選択出来るようになっている。
【００３０】
また、後述するように、ユーザーは光ディスク１３に記録してある映像信号等を再生することや、映像信号を記録する他、現在記録中の映像信号をそのまま記録している状態で、光ディスク１３上の異なる領域の映像信号等を再生することができるように構成されている。また、現在再生中の映像信号をそのまま再生している状態で、光ディスク１３上の異なる領域の映像信号等を記録することができるように構成されている。また、同様に、現在再生中の映像信号をそのまま再生している状態で、光ディスク１３の異なる領域の映像信号等を再生することがができるように構成されている。また、同様に、現在記録中の映像信号をそのまま記録している状態で、光ディスク１３上の異なる領域の映像信号等を記録することができるように構成されている。これにより、ユーザーはアフレコ記録や、裏番組記録等の機能を楽しむことができる。
【００３１】
ここで、本発明に係る第１実施例の情報信号記録及び／又は再生装置１０Ａにおいて、光ディスク１３上の異なる領域に、２つの映画等の映像情報や２つの音楽等の音声情報などによる第１，第２の情報信号を、トラック・バッファメモリ１９を介して一つの光ピックアップ１４により時分割で記録及び／又は再生する場合について図２を用いて説明する。
尚、第１，第２の情報信号のうちでいずれか一方のみをトラック・バッファメモリ１９を介して一つの光ピックアップ１４により記録及び／又は再生することも当然可能であるがこの場合の説明は省略する。
【００３２】
図２は本発明に係る第１実施例の情報信号記録及び／又は再生装置において、光ディスク上の第１，第２の領域と、トラック・バッファメモリ上の第１，第２の領域との間で、第１，第２の情報信号を一つの光ピックアップにより時分割で記録及び／又は再生する状態を模式的に示した図である。尚、図２中では説明をわかりやすくするためにプリアンプ，信号処理回路の図示を省略している。
【００３３】
図２に示した如く、光ディスク１３上の第１の領域１３ａは記録容量Ｙａを記録再生の最小単位（例えば図４のアドレスＡ１領域）とする第１の情報信号Ａを記録する領域であり、第２の領域１３ｂは記録容量Ｙｂを記録再生の最小単位（例えば図４のアドレスＢ１領域）とする第２の情報信号Ｂを記録する領域であるものとする。この際、第１の情報信号Ａと第２の情報信号Ｂとは、互いに関連のある情報である場合と、全く関連のない情報である場合のいずれでも良い。
【００３４】
また、トラック・バッファメモリ１９上の第１の領域１９ａは第１の情報信号Ａを一時的に記憶する領域であり、第２の領域１９ｂは第２の情報信号Ｂを一時的に記憶する領域であるものとする。
【００３５】
また、一つの光ピックアップ１４は、第１の情報信号Ａと第２の情報信号Ｂとを光ディスク１３とトラック・バッファメモリ１９との間で時分割に転送するものであり、且つ、光ピックアップ１４による第１，第２の情報信号Ａ，Ｂへの転送レートＲｐは一定に設定されており、この一定の転送レートＲｐは例えば２５Ｍｂｐｓであるものとする。上記した一つの光ピックアップ１４による第１，第２の情報信号Ａ，Ｂへの転送レートＲｐは、後述する第１，第２の情報信号Ａ，Ｂの転送レートＲａ，Ｒｂよりも速い値に設定されている。
【００３６】
また、トラック・バッファメモリ１９とＡＶ−ＥＮＤＥＣ２０との間で第１，第２の情報信号Ａ，Ｂを転送するものであり、この時に第１の情報信号Ａの転送レートを転送レートＲａとし、第２の情報信号Ｂの転送レートを転送レートＲｂとする。そして、本発明では、後述するように第１の情報信号Ａと第２の情報信号Ｂとを連続して同時に記録及び／又は再生できることを特徴とするものである。
【００３７】
ここで、第１，第２の情報信号Ａ，Ｂの転送レートＲａ，Ｒｂは、画質優先での選択が可能であり、下記〔１〕〜〔３〕に示す例えば、８Ｍｂｐｓ，４Ｍｂｐｓ，２Ｍｂｐｓのうちのいずれかの転送レートとする。
〔１〕．高画質用の転送レートで例えば８Ｍｂｐｓの記録時間２時間のモード、〔２〕．やや高画質用の転送レートで例えば４Ｍｂｐｓの記録時間４時間のモード、
〔３〕．普通画質用の転送レートで例えば２Ｍｂｐｓの記録時間８時間のモード、の３種類のモードを用意し、光ディスク１３への記録時にはユーザによるキー入力でモードを指定することで第１，第２の情報信号Ａ，Ｂの転送レートＲａ，Ｒｂが設定される一方、光ディスク１３からの再生時には再生信号中の第１，第２の情報信号Ａ，Ｂのコントロールデータから記録時の圧縮レートを読み出し、この値に従って、第１，第２の情報信号Ａ，Ｂの転送レートＲａ，Ｒｂが設定されるものとする。
【００３８】
また、図１に示したシステムコントローラ２２は、６４Ｍビットのトラック・バッファメモリ１９内の第１，第２の領域１９ａ，１９ｂを第１，第２情報信号Ａ，Ｂの転送レートＲａ，Ｒｂの値（＝Ｒａ：Ｒｂ）に応じて分割設定すると共に、各領域１９ａ，１９ｂには記憶容量が空状態を示すＥＭＰＴＹ値と記憶容量が満杯状態を示すＦＵＬＬ値とを第１，第２の情報信号Ａ，Ｂの転送レートＲａ，Ｒｂの値に応じて設定するものとする。そして、システムコントローラ２２、トラック・バッファメモリ１９内の各領域１９ａ，１９ｂのＥＭＰＴＹ値とＦＵＬＬ値との間の記憶残量を常に監視している。
【００３９】
尚、異なる実施形態としては、前記のように第１，第２情報信号Ａ，Ｂの転送レートＲａ，Ｒｂの値によってトラック・バッファメモリ１９内の第１，第２の領域１９ａ，１９ｂを分割するのではなく、記録モードまたは再生のモードによって分割する。例えば、２つの情報信号Ａ，Ｂ共に同じ転送レートであるとして、一方の情報信号Ａ（Ｂ）を再生し、他方の情報信号Ｂ（Ａ）を記録する場合、再生信号は多少再生時に再生の連続性が損なわれても大きな問題にはならないが、記録信号は連続して記録できない場合には、致命的な欠陥になるので、例えば記録の方をトラック・バッファメモリ１９内で領域を多く占有しておく。この処理は、システムコントローラ２２が記録または再生の指示を入力した時点で、前記同様に、トラック・バッファメモリ１９中にあるデータを確認し、再生または記録中の途中データが無いことを確認した時点で行う。
【００４０】
次に、トラック・バッファメモリ１９内の第１，第２の領域１９ａ，１９ｂを転送レートＲａ，Ｒｂの値に応じて分割設定した条件下で、第１，第２の情報信号Ａ，Ｂを光ディスク１３から再生する形態を適用した情報信号再生装置と、第１，第２の情報信号Ａ，Ｂを光ディスク１３に記録する形態を適用した情報信号記録装置と、第１，第２の情報信号Ａ，Ｂのいずれか一方を光ディスク１３から再生し且つ他方を光ディスク１３に記録する形態を適用した情報信号記録再生装置とについて図３乃至図１２を用いて順に説明する。
【００４１】
＜情報信号再生装置＞
図３は第１，第２の情報信号を光ディスクから再生する形態を適用した情報信号再生装置を模式的に示した図、図４は光ディスク上で第１，第２の領域のアドレスを示した図、図５は第１，第２の情報信号を光ディスクから再生する状態を示したフローチャート、図６は第１，第２の情報信号を光ディスクから再生する状態を示したタイミングチャートである。
【００４２】
図３に示した如く、光ディスク１３は再生専用に形成されており、この光ディスク１３上には記録容量Ｙａを有する第１の情報信号Ａが第１の領域１３ａに予め記録され、且つ、記録容量Ｙｂを有する第２の情報信号Ｂが第２の領域１３ｂに予め記録されているものである。
【００４３】
また、図４に示した如く、光ディスク１３上の第１の領域１３ａは、後述するシーク時間が守れる範囲内で複数の領域に分離され且つ各領域ごとにアドレスＡ１，Ａ２，Ａ３，…が付与されて第１の情報信号Ａがそれぞれ分割して記録されている。同様に、光ディスク１３上の第２の領域１３ｂも後述するシーク時間が守れる範囲内で複数に分離され且つ各領域ごとにアドレスＢ１，Ｂ２，Ｂ３，…が付与されて第２の情報信号Ｂがそれぞれ分割して記録されている。この際、最初に再生する第１の領域１３ａ中で１番目のアドレス領域Ａ１と次に再生する第２の領域１３ｂ中で１番目のアドレス領域Ｂ１との間は、光ピックアップ１４が例えば１．５秒以内に移動できる範囲に設定されており、言い換えると、全体的には第１の情報信号Ａと次に再生する第２の情報信号Ｂとの間を移動する光ピックアップ１４のシーク時間は最大で１．５秒以内である。
【００４４】
また、光ディスク１３の再生時には、光ピックアップ１４が所定の再生トラックに移動し、開始セクターを待ち、再生信号中の記録されている第１，第２の情報信号Ａ，Ｂのコントロールデータから記録時の圧縮レートを読み出し、この値に従って、信号処理回路１８（図１）に接続された６４Ｍｂのトラック・バッファメモリ１９内の第１の領域１９ａと第２の領域１９ｂの記憶容量領域を分離し、且つ、各領域１９ａ，１９ｂのＥＭＰＴＹ値及びＦＵＬＬ値をそれぞれ設定している。
【００４５】
ここで、光ピックアップ１４は光ディスク１３上の第１の領域１３ａに記録されている第１の情報信号Ａと、第２の領域１３ｂに記録されている第２の情報信号Ｂとを時分割で交互に再生して、再生して得た第１の情報信号Ａをトラック・バッファメモリ１９内の第１の領域１９ａに、再生して得た第２の情報信号Ｂをトラック・バッファメモリ１９内の第２の領域１９ｂにそれぞれ時分割で一定の転送レートＲｐ（例えば２５Ｍｂｐｓ）で交互に一時的に記憶させる。この際、光ピックアップ１４による第１，第２の情報信号Ａ，Ｂへの転送レートは、トラック・バッファメモリ１９に一時記憶した第１，第２の情報信号Ａ，Ｂが出力する際の第１，第２の転送レートより速く設定されている。
【００４６】
一方、トラック・バッファメモリ１９は、コントロールデータから読み出した記録時の圧縮レートに基づいて第１，第２の情報信号Ａ，Ｂの転送レートＲａ，Ｒｂを設定し、この転送レートＲａ，Ｒｂにより第１，第２の情報信号Ａ，ＢをＡＶ−ＥＮＤＥＣ２０側に転送している。この後、ＡＶ−ＥＮＤＥＣ２０内のデコーダは、第１，第２の情報信号Ａ，Ｂをそれぞれの圧縮レートに基づいて伸張して両情報信号Ａ，Ｂを図示しないディスプレイとかスピーカにより同時に再生している。
【００４７】
ここで、図５及び図６を用いて情報信号再生装置の動作について説明する。尚、図６では、第１，第２の情報信号Ａ，Ｂの転送レートＲａ，Ｒｂは図示の都合上同一の転送レートで図示しているが、両者が異なる場合でも同じ傾向を示すものである。
【００４８】
まず、ステップＳ３１では、再生のフローを開始する。
【００４９】
次に、ステップＳ３２では、光ピックアップ１４が光ディスク１３上で再生したい場所となる第１の領域１３ａ中で１番目のアドレス領域Ａ１（目的位置）に至ったか否かを確認する。ここで、アドレス領域Ａ１（目的位置）に至っていない場合はこのステップＳ３２を更に続行し、アドレス領域Ａ１（目的位置）に至った場合は次のステップＳ３３に進む。
【００５０】
次に、ステップＳ３３では、光ピックアップ１４が第１の領域１３ａ中で１番目のアドレス領域Ａ１から再生を開始して第１の情報信号Ａを転送レートＲｐでトラック・バッファメモリ１９内の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、最初の１回目のサイクルだけ第１の情報信号ＡがＥＭＰＴＹ値に至るまで転送レートＲｐで記憶される。
【００５１】
次に、ステップＳ３４では、トラック・バッファメモリ１９内の第１の領域１９ａに記憶した第１の情報信号ＡがＥＭＰＴＹ値に至ったか否かを問い、ＥＭＰＴＹ値に至っていない場合にはステップＳ３３の動作を引き続き行い、ＥＭＰＴＹ値に至った場合には次のステップＳ３５に進む。
【００５２】
次に、ステップＳ３５では、第１の情報信号ＡがＥＭＰＴＹ値を越えたら第１の情報信号Ａが転送レートＲａでＡＶ−ＥＮＤＥＣ２０側に読み出されるので、図６に示したようにＥＭＰＴＹ値とＦＵＬＬ値との間では第１の情報信号Ａがトラック・バッファメモリ１９の第１の領域１９ａに書き込まれる転送レートＲｐと、第１の情報信号Ａが第１の領域１９ａからＡＶ−ＥＮＤＥＣ２０側に読み出される転送レートＲａの差分（Ｒｐ−Ｒａ）の傾斜で増加しながら第１の情報信号Ａが第１の領域１９ａに一時的に記憶される。
【００５３】
次に、ステップＳ３６では、トラック・バッファメモリ１９内の第１の領域１９ａに記憶された第１の情報信号ＡがＦＵＬＬ値に至ったか否かを問い、ＦＵＬＬ値に至っていない場合にはステップＳ３５に戻り、ＦＵＬＬ値に至った場合には次のステップＳ３７に進む。
【００５４】
次に、ステップＳ３７では、トラック・バッファメモリ１９内の第１の領域１９ａに記憶された第１の情報信号ＡがＦＵＬＬ値に至ったので、光ピックアップ１４は光ディスク１３上の第１の領域１３ａ中で１番目のアドレス領域Ａ１での再生を中止する。ここで、第１の情報信号Ａの再生が中止された段階から、トラック・バッファメモリ１９内の第１の領域１９ａに記憶された第１の情報信号ＡがＡＶ−ＥＮＤＥＣ２０側に転送レートＲａで引き続き読み出されるが、この読み出し動作は図６から明らかなようにＥＭＰＴＹ値に至るまでの期間が第１の領域１３ａ中で２番目のアドレス領域Ａ２を再生開始する前までに終了すれば良い。
【００５５】
次に、ステップＳ３８では、光ピックアップ１４が次に再生する光ディスク１３上の第２の領域１３ｂ中で１番目のアドレス領域Ｂ１に移動する。この際、光ピックアップ１４が光ディスク１３上の第１の領域１３ａ中で１番目のアドレス領域Ａ１から第２の領域１３ｂ中で１番目のアドレス領域Ｂ１に移動するシーク時間Ｔａｂは最大で１．５秒以内である。
【００５６】
次に、ステップＳ３９では、光ピックアップ１４が光ディスク１３上の第２の領域１３ｂのアドレス領域Ｂ１（目的位置）に至ったか否かを確認する。ここで、アドレス領域Ｂ１（目的位置）に至っていない場合はこのステップＳ３９を更に続行し、アドレス領域Ｂ１（目的位置）に至った場合は次のステップＳ４０に進む。
【００５７】
次に、ステップＳ４０では、光ピックアップ１４は光ディスク１３上の第２の領域１３ｂ中で１番目のアドレス領域Ｂ１から再生を開始して第２の情報信号Ｂを転送レートＲｐでトラック・バッファメモリ１９内の第２の領域１９ｂに一時的に記憶させる。この際、最初の１回目のサイクルだけ第２の情報信号ＢがＥＭＰＴＹ値に至るまで転送レートＲｐで記憶される。
【００５８】
次に、ステップＳ４１では、トラック・バッファメモリ１９内の第２の領域１９ｂに記憶した第２の情報信号ＢがＥＭＰＴＹ値に至ったか否かを問い、ＥＭＰＴＹ値に至っていない場合にはステップＳ４０の動作を引き続き行い、ＥＭＰＴＹ値に至った場合には次のステップＳ４２に進む。
【００５９】
次に、ステップＳ４２では、第２の情報信号ＢがＥＭＰＴＹ値を越えたら第２の情報信号Ｂが転送レートＲｂでＡＶ−ＥＮＤＥＣ２０側に読み出されるので、図６に示したようにＥＭＰＴＹ値とＦＵＬＬ値との間では第２の情報信号Ｂがトラック・バッファメモリ１９の第２の領域１９ｂに書き込まれる転送レートＲｐと、第２の情報信号Ｂが第２の領域１９ｂからＡＶ−ＥＮＤＥＣ２０側に読み出される転送レートＲｂの差分（Ｒｐ−Ｒｂ）の傾斜で増加しながら第２の情報信号Ｂが第２の領域１９ｂに一時的に記憶される。
【００６０】
次に、ステップＳ４３では、トラック・バッファメモリ１９内の第２の領域１９ｂに記憶された第２の情報信号ＢがＦＵＬＬ値に至ったか否かを問い、ＦＵＬＬ値に至っていない場合にはステップＳ４２に戻り、ＦＵＬＬ値に至った場合には次のステップＳ４４に進む。
【００６１】
次に、ステップＳ４４では、トラック・バッファメモリ１９内の第２の領域１９ｂに記憶された第２の情報信号ＢがＦＵＬＬ値に至ったので、光ピックアップ１４は光ディスク１３上の第２の領域１３ｂのアドレス領域Ｂ１での再生を中止する。ここで、第２の情報信号Ｂの再生が中止された段階から、トラック・バッファメモリ１９内の第２の領域１９ｂに記憶された第２の情報信号ＢがＡＶ−ＥＮＤＥＣ２０側に転送レートＲｂで引き続き読み出されるが、この読み出し動作は図６から明らかなようにＥＭＰＴＹ値に至るまでの期間が第２の領域１３ｂ中で２番目のアドレス領域Ｂ２を再生開始する前までに終了すれば良い。
【００６２】
次に、ステップＳ４５では、光ピックアップ１４が次に再生する光ディスク１３上の第１の領域１３ａ中で２番目のアドレス領域Ａ２に移動する。この際、光ピックアップ１４が光ディスク１３上の第２の領域１３ｂ中で１番目のアドレス領域Ｂ１から第１の領域１３ａ中で２番目のアドレス領域Ａ２に移動するシーク時間Ｔｂａは最大で１．５秒以内である。
そして、光ピックアップ１４が光ディスク１３上の第１の領域１３ａ中で２番目の領域Ａ２に至ったらステップＳ３２に戻り以下同様に繰り返せば、光ピックアップ１４によって第１，第２の情報信号Ａ，Ｂをアドレス領域Ａ１，Ｂ１，Ａ２，Ｂ２，Ａ３，Ｂ３，……の順に時分割で交互に連続して再生できる。
【００６３】
尚、光ピックアップ１４による再生を全部中止するフローは、ステップ３７の後、又は、ステップ４４の後で問い合わせれば良いが動作が複雑になるので、ここでは省略している。
【００６４】
また、上記した再生のフローにおいて、トラック・バッファメモリ１９は最初の１回目のサイクルで空状態からＥＭＰＴＹ値に至るが、２回目以降のサイクルではＥＭＰＴＹ値とＦＵＬＬ値の間で記録容量Ｙａを有する第１の情報信号Ａと記録容量Ｙｂを有する第２の情報信号Ｂを記憶することになる。
【００６５】
さて、ここで、光ディスク１３の再生時に、トラック・バッファメモリ１９内の第１，第２の領域１９ａ，１９ｂ内のＥＭＰＴＹ値，ＦＵＬＬ値などをどのように設定したかを説明する。
【００６６】
光ピックアップ１４による第１，第２の情報信号Ａ，Ｂへの転送レート…Ｒｐ（Ｍｂｐｓ）
第１の情報信号Ａの転送レート…Ｒａ（Ｍｂｐｓ）
第２の情報信号Ｂの転送レート…Ｒｂ（Ｍｂｐｓ）
トラック・バッファメモリ１９の最小の記憶容量…Ｙｍ（Ｍｂｉｔ）
光ディスク１３上の第１の領域１３ａに記録した第１の情報信号Ａの記録容量…Ｙａ（Ｍｂｉｔ）
光ディスク１３上の第２の領域１３ｂに記録した第２の情報信号Ｂの記録容量…Ｙｂ（Ｍｂｉｔ）
光ピックアップ１４が光ディスク１３上の第１の領域１３ａから第２の領域１３ｂに移動に要するシーク時間…Ｔｂａ（ｓ）
光ピックアップ１４が光ディスク１３上の第２の領域１３ｂから第１の領域１３ａに移動に要するシーク時間…Ｔｂａ（ｓ）
とすると、この関係は本発明の要部となる後述の（９式）〜（１１式）を満足する必要がある。
【００６７】
ここでのシーク時間Ｔｂａ（Ｔｂａ）とは、光ディスク１３上の領域１３ａ（１３ｂ）で情報信号Ａ（Ｂ）の再生終了位置で再生を中止し、次の領域１３ｂ（１３ａ）まで光ピックアップ１４が移動する時間と、次の領域１３ｂ（１３ａ）に移動した光ピックアップ１４がこの領域１３ｂ（１３ａ）中の目的のトラック上のアドレスを確認して再生のための準備作業を終了し、次の情報信号Ｂ（Ａ）の再生を開始するまでの時間とを合計した時間を示している。
【００６８】
また、光ディスク１３から光ピックアップ１４により時分割で再生した第１，第２の情報信号Ａ，Ｂをトラック・バッファメモリ１９に記憶する転送レートＲｐに対して、トラック・バッファメモリ１９の第１の領域１９ａから第１の情報信号ＡをＡＶ−ＥＮＤＥＣ２０側に読み出す平均の転送レートＲｂと、トラック・バッファメモリ１９の第２の領域１９ｂから第２の情報信号ＢをＡＶ−ＥＮＥＣ２０側に読み出す平均の転送レートＲｂとの和はこれを越えてはならない。これを式で表すと、
Ｒｐ＞Ｒａ＋Ｒｂ                                …（１式）
となる。
【００６９】
また、光ピックアップ１４が第１の情報信号Ａを再生する再生時間Ｔａ（ｓ）は、Ｔａ＝Ｙａ／Ｒｐ                              …（２式）
光ピックアップ１４が第２の情報信号Ｂを再生する再生時間Ｔｂ（ｓ）は、
Ｔｂ＝Ｙｂ／Ｒｐ                                …（３式）
である。
【００７０】
また、光ピックアップ１４による第１，第２の情報信号Ａ，Ｂの転送レートＲｐと、この転送レートＲｐから第１の情報信号Ａの転送レートＲａと第２の情報信号Ｂの転送レートＲｂとを引き算した差分値との比率は、
Ｒｐ／（Ｒｐ−Ｒａ−Ｒｂ）                      …（４式）
である。この際、Ｒｐは第１，第２の情報信号Ａ，Ｂを再生して次に第１の情報信号Ａを再生するまでの１サイクル期間分に対応し、（Ｒｐ−Ｒａ−Ｒｂ）はこの１サイクル期間中のシーク期間分に対応している。
【００７１】
一方、第１，第２の情報信号Ａ，Ｂを再生して次に第１の情報信号Ａを再生するまでにの１サイクル分の時間と、この１サイクル期間中の合計シーク時間との比率は、
（Ｔａ＋Ｔａｂ＋Ｔｂ＋Ｔｂａ）／（Ｔａｂ＋Ｔｂａ）      …（５式）
である。
【００７２】
ここで、上記した（４式）の比率と、上記した（５式）の比率は等しい関係にあるので、
Ｒｐ／（Ｒｐ−Ｒａ−Ｒｂ）＝（Ｔａ＋Ｔａｂ＋Ｔｂ＋Ｔｂａ）／（Ｔａｂ＋Ｔｂａ）                                          …（６式）
となり、この（６式）を変形すると、
（Ｔａ＋Ｔｂ）＝（Ｒａ＋Ｒｂ）×（Ｔａｂ＋Ｔｂａ）／（Ｒｐ−Ｒａ−Ｒｂ）
…（７式）
となる。この（７式）に（２式），（３式）を代入すると、
（Ｙａ＋Ｙｂ）＝Ｒｐ×（Ｒａ＋Ｒｂ）×（Ｔａｂ＋Ｔｂａ）／（Ｒｐ−Ｒａ−Ｒｂ）                                          …（８式）
となる。
【００７３】
また、光ディスク１３とトラック・バッファメモリ１９間の転送レートＲｐは一定になっており、一方、トラック・バッファメモリ１９から読み出される第１，第２の情報信号Ａ，Ｂの転送レートＲａ，Ｒｂは光ディスク１３に記録した記録状態によって決定され、更に、再生を行う光ディスク１３上のアドレス及び装置の仕様等によって、上記したシーク時間Ｔａｂ、Ｔｂａは決定されるから、この関係を安定に満足するためには、再生を連続的に行うための最小の容量である第１の情報信号Ａの記録容量Ｙａ及び第２の情報信号Ｂの容量Ｙｂは以下の（９式），（１０式），（１１式）を満足しなければならない。
【００７４】
即ち、
（Ｙａ＋Ｙｂ）≧Ｒｐ×（Ｒａ＋Ｒｂ）×（Ｔａｂ＋Ｔｂａ）／（Ｒｐ−Ｒａ−Ｒｂ）                                                    …（９式）
Ｙａ≧Ｒｐ×Ｒａ×（Ｔａｂ＋Ｔｂａ）／（Ｒｐ−Ｒａ−Ｒｂ）…（１０式）
Ｙｂ≧Ｒｐ×Ｒｂ×（Ｔａｂ＋Ｔｂａ）／（Ｒｐ−Ｒａ−Ｒｂ）…（１１式）
つまり、光ディスク１３からの再生時の転送レートＲｐと、トラック・バッファメモリ１９から読み出される第１，第２の情報信号（再生信号）Ａ，Ｂの転送レートＲａ，Ｒｂと、光ディスク１３上で第１，第２の情報信号Ａ，Ｂの領域位置間を移動する光ピックアップ１４のシーク時間Ｔａｂ，Ｔｂａとを決定すると、第１，第２の情報信号Ａ，Ｂの最小の記録単位の記録容量Ｙａ，Ｙｂ、又は、再生時間Ｔａ，Ｔｂが上記（９式）〜（１１式）を満足しない場合は、両情報信号Ａ，Ｂの再生時の連続性が無くなることになる。
【００７５】
要するに、第１の情報信号Ａを再生する場合は、最小の記録単位の記録容量Ｙａ以上のデータ量を一度にトラック・バッファメモリ１９に読み込み再生処理を行い、第２の情報信号Ｂを再生する場合は、最小の記録単位の記録容量Ｙｂ以上のデータ量を一度にトラック・バッファメモリ１９に読み込み再生処理を行う。
【００７６】
言い換えると、記録済みの再生専用の光ディスク１３では、前記のような２つの情報信号Ａ，ＢをＡＶ−ＥＮＤＥＣ２０側で同時に連続的に再生するためには、その再生装置における光ディスク１３に対する再生の転送レートＲａとシーク時間Ｔａｂ，Ｔｂａとの関係を考慮し、最小記録単位の記録容量Ｙａ，Ｙｂを前記のように設定しておくことにより、連続的な再生が行えることになる。
【００７７】
また、これは、Ｙａ又はＹｂに続いて再生されるべきデータの存在する位置が光ディスク１３上でＹａ又はＹｂに続いていないで、離れた位置にあってもこれを連続的に再生できることを示している。
【００７８】
また、上記（９式）〜（１１式）は、２つの情報信号Ａ，Ｂの最小の記録領域の記録容量Ｙａ，Ｙｂを決定し、トラック・バッファメモリ１９の最大のサイズを決定し、且つ、ＥＭＰＴＹ値及びＦＵＬＬ値を決定する。
【００７９】
また、トラック・バッファメモリ１９の基本的な最小の記憶容量Ｙｍは、
Ｙｍ＞（Ｔｂ＋Ｔａｂ＋Ｔｂａ）×Ｒａ＋（Ｔａ＋Ｔａｂ＋Ｔｂａ）×Ｒｂ
…（１２式）
又は、
Ｙｍ＞Ｔａ×（Ｒｐ−Ｒａ）＋Ｔｂ×（Ｒｐ−Ｒｂ）      …（１３式）
となる。
【００８０】
上記（１２式）と（１３式）は共に、上記（２式），（３式）、（１０式），（１１式）から、
Ｙｍ＞｛（Ｒｐ−Ｒａ）×Ｒａ＋（Ｒｐ−Ｒｂ）×Ｒｂ｝×（Ｔａｂ＋Ｔｂａ）
／（Ｒｐ−Ｒａ−Ｒｂ）                                  …（１４式）
となる。
【００８１】
従って、基本的には、第１の情報信号Ａのためのトラック・バッファメモリ１９の第１の領域１９ａは（Ｒｐ−Ｒａ）×Ｒａ×（Ｔａｂ＋Ｔｂａ）／（Ｒｐ−Ｒａ−Ｒｂ）以上確保してこの範囲でＥＭＰＴＹ値とＦＵＬＬ値を決定し、第２の情報信号Ｂのためのトラック・バッファメモリ１９の第２の領域１９ｂは（Ｒｐ−Ｒｂ）×Ｒｂ×（Ｔａｂ＋Ｔｂａ）／（Ｒｐ−Ｒａ−Ｒｂ）以上確保してこの範囲でＥＭＰＴＹ値とＦＵＬＬ値を決定する。
【００８２】
しかし、これは第一にトラック・バッファメモリ１９の管理上全く余裕の無い数値であり、第二に図６の理想的な２つの情報信号Ａ，Ｂが交互にタイミング切り換えする関係からの計算であり、実際には、２つの情報信号Ａ，Ｂ間の転送レートや入出力のタイミングにより、２つの情報信号Ａ，Ｂを同時に再生することが必要になるタイミングが発生するので、この時間区間では片側の信号をトラック・バッファメモリ１９にてデータを一時記憶にて吸収する必要がある。
【００８３】
従って、その場合のトラック・バッファメモリ１９の最小の記憶容量Ｙｍは、
Ｙｍ＞（Ｔａ＋Ｔｂ＋Ｔａｂ＋Ｔｂａ）×（Ｒａ＋Ｒｂ）      …（１５式）
より一般的には、シーク時間Ｔａｂ，Ｔｂａを同一の固定時間とＴとすると、
Ｙｍ＞（Ｔａ＋Ｔｂ＋２×Ｔ）×（Ｒａ＋Ｒｂ）              …（１６式）
となる。このＹｍの値は、リトライ処理やショックプルーフメモリとしての機能やそれ以外のシステム的な余裕を計算していないので、少なくともこの値以上の値を確保する必要がある。
【００８４】
従って、第１の情報信号Ａのためのトラック・バッファメモリ１９の第１の領域１９ａは（Ｔａ＋Ｔｂ＋２×Ｔ）×Ｒａ以上確保しこの範囲でＥＭＰＴＹ値とＦＵＬＬ値を決定し、第２の情報信号Ｂのためのトラック・バッファメモリ１９の第２の領域１９ｂは（Ｔａ＋Ｔｂ＋２×Ｔ）×Ｒｂ以上確保しこの範囲でＥＭＰＴＹ値とＦＵＬＬ値を決定する。
【００８５】
また、上記（１５式）と（１６式）は、上記（２式），（３式），（９式）から、
Ｙｍ＞Ｒｐ×（Ｒａ＋Ｒｂ）×（Ｔａｂ＋Ｔｂａ）／（Ｒｐ−Ｒａ−Ｒｂ）
…（１７式）
より一般的には、シーク時間Ｔａｂ，Ｔｂａを同一の固定時間のＴとすると、
Ｙｍ＞２×Ｒｐ×（Ｒａ＋Ｒｂ）×Ｔ／（Ｒｐ−Ｒａ−Ｒｂ）  …（１８式）
となる。
【００８６】
同様に、このＹｍの値は、リトライ処理やショックプルーフ・メモリとしての機能やそれ以外のシステム的な余裕を計算していないので、少なくともこの値以上の値を確保する必要がある。
【００８７】
従って、第１の情報信号Ａのためのトラック・バッファメモリ１９の第１の領域１９ａはＲｐ×Ｒａ×（Ｔａｂ＋Ｔｂａ）／（Ｒｐ−Ｒａ−Ｒｂ）以上確保しこの範囲でＥＭＰＴＹ値とＦＵＬＬ値を決定し、第２の情報信号Ｂのためのトラック・バッファメモリ１９の第２の領域１９ｂはＲｐ×Ｒｂ×（Ｔａｂ＋Ｔｂａ）／（Ｒｐ−Ｒａ−Ｒｂ）以上確保しこの範囲でＥＭＰＴＹ値とＦＵＬＬ値を決定する。
【００８８】
ここで、トラック・バッファメモリ１９は本実施例では図１の信号処理回路１８に接続されている６４Ｍｂのトラック・バッファメモリ１９であるが、当然この図１のＡＶ−ＥＮＤＥＣ２０に接続されている６４Ｍｂのバッファメモリ２１の一部を同様にトラック・バッファメモリとして使用してもかまわない。
【００８９】
つまり、トラック・バッファメモリ１９は光ディスク１３等の情報信号記録媒体に対する光ピックアップ１４による再生信号の転送レートと、映像等の圧縮伸張された信号の転送レートの差を吸収するものである。しかし、本実施例では特に図１の信号処理回路１８に接続されている６４Ｍｂのトラック・バッファメモリ１９を例として用いて、第１の情報信号Ａと第２の情報信号Ｂとが必要とする記録容量を、１つのトラック・バッファメモリ１９を分割して、かつ計算結果として余った領域をその比率で配分して使用することにより、それぞれのトラックバッファとしての余裕度を高めることが出来る。
【００９０】
例えば、第１の情報信号Ａの転送レートＲａを８Ｍｂｐｓとして、この第１の情報信号Ａに対してトラック・バッファメモリ１９の第１の領域１９ａの必要な記憶容量を３２Ｍｂとし、一方、第２の情報信号Ｂの転送レートＲｂを４Ｍｂｐｓとして、この第２の情報信号Ａに対してトラック・バッファメモリ１９の第２の領域１９ｂの必要な記憶容量を１６Ｍｂとすると、６４Ｍｂの余った領域である残りの１６Ｍｂを余らせておくのではなく、約１０Ｍｂ対５Ｍｂで２対１に分割して、トラック・バッファメモリ１９の第１の領域１９ａの記憶容量を３２Ｍｂ＋１０Ｍｂ＝４２Ｍｂとし、トラック・バッファメモリ１９の第２の領域１９ｂの記憶容量を１６Ｍｂ＋５Ｍｂ＝２１Ｍｂとすることにより、トラック・バッファメモリ１９を有効に使用することが出来る。これによって、２つの連続的な情報信号Ａ，Ｂを同時に処理出来る。
【００９１】
また、トラック・バッファメモリ１９として、いずれか１つの情報信号Ａ又は情報信号Ｂの通常再生時には、トラック・バッファメモリ１９の全体の６４Ｍｂを１つのトラックバッファとして用いる。この処理を再生を管理するシステムコントローラ２２にて、再生の指示によりトラック・バッファメモリ１９への第１，第２の領域１９ａ，１９ｂの確保を行う。これにより、通常の再生の動作でのリトライ等のプレーヤビリティを向上する事が出来る。なお、これら第１，第２の領域１９ａ，１９ｂの分割のタイミングは、再生の入力の指示があった時点で、トラック・バッファメモリ１９の中にあるデータを確認し、再生中の途中データが無いことを確認した時点で行う。このタイミングとしては、再生処理が行われている途中で例えば再生する情報信号Ａ，Ｂの転送レートＲａ，Ｒｂが変更になった時点で、同様にトラック・バッファメモリ１９の中にあるデータを確認し、再生録中の途中データが無いことを確認した時点で行う。これにより、情報信号Ａ，Ｂの転送レートＲａ，Ｒｂが変更された時点でリアルタイムにトラック・バッファメモリ１９の余裕度を最適にすることが出来る。
【００９２】
ここで再生専用の光ディスク１３の場合には、前記した光ピックアップ１４によるシーク時間Ｔａｂ，Ｔｂｃの最大許容時間Ｔｍａｘ＝（Ｔａｂ・ｍａｘ），（Ｔｂｃ・ｍａｘ）は、製造メーカ間でのバラッキを押さえるために規格化されており、この最大許容時間（Ｔａｂ・ｍａｘ），（Ｔｂｃ・ｍａｘ）は共に同じ値で例えば記録型のＤＶＤ用の光ディスク１３では１．５秒に設定されている。従って、上記した条件を先に説明した（９式）に当てはめると、
（Ｙａ＋Ｙｂ）≧Ｒｐ×（Ｒａ＋Ｒｂ）×２×Ｔｍａｘ／（Ｒｐ−Ｒａ−Ｒｂ）
…（１９式）
この（１９式）にＴｍａｘ＝１．５秒を代入すると、
（Ｙａ＋Ｙｂ）≧３×Ｒｐ×（Ｒａ＋Ｒｂ）／（Ｒｐ−Ｒａ−Ｒｂ）
…（２０式）
となるものであり、（１９式）又は（２０式）の条件を満足するように光ディスク１３上の第１，第２の領域１３ａ，１３ｂに、記録容量Ｙａ，Ｙｂをそれぞれ有する第１，第２の情報信号Ａ，Ｂを予め記録すれば良いものである。
【００９３】
＜情報信号記録装置＞
図７は第１，第２の情報信号を光ディスクに記録する形態を適用した情報信号記録装置を模式的に示した図、図８は第１，第２の情報信号を光ディスクに記録する状態を示したフローチャート、図９は第１，第２の情報信号を光ディスクに記録する状態を示したタイミングチャートである。
【００９４】
情報信号記録装置は、先に説明した情報信号再生装置と技術的思想は同じであり、入出力関係が情報信号再生装置に対して逆になるものである。
【００９５】
図７に示した如く、情報信号記録装置は、第１，第２の転送レートＲａ，Ｒｂでトラック・バッファメモリ１９の第１，第２の領域１９ａ，１９ｂにそれぞれ入力した第１，第２の情報信号Ａ，Ｂを、光ピックアップ１４により第１，第２の転送レートＲａ，Ｒｂより速い一定の転送レートで光ディスク１３上の第１，第２の領域１３ａ，１３ｂに時分割で記録動作を行うものである。
【００９６】
即ち、光ディスク１３は記録再生可能に形成されており、この光ディスク１３上には記録容量Ｙａを有する第１の情報信号Ａを記録するための第１の領域１３ａと、記録容量Ｙｂを有する第２の情報信号Ｂを記録するための第２の領域１３ｂとが予め用意されている。
【００９７】
また、先に情報信号再生装置で説明したと同様に、図４に示した如く、光ディスク１３上の第１の領域１３ａは、後述するシーク時間が守れる範囲内で複数の領域に分離され且つ各領域ごとにアドレスＡ１，Ａ２，Ａ３，…が付与されて第１の情報信号Ａをそれぞれ分割して記録できるようになっている。同様に、光ディスク１３上の第２の領域１３ｂも後述するシーク時間が守れる範囲内で複数に分離され且つ各領域ごとにアドレスＢ１，Ｂ２，Ｂ３，…が付与されて第２の情報信号Ｂをそれぞれ分割して記録できるようになっている。また、ここでも各アドレス領域Ａ１，Ａ２，Ａ３，…の容量が記録容量Ｙａとそれぞれ一致し、各アドレス領域Ｂ１，Ｂ２，Ｂ３，…の容量が記録容量Ｙｂとそれぞれ一致するものである。
この際、最初に記録する第１の領域１３ａ中で１番目のアドレス領域Ａ１と次に記録する第２の領域１３ｂ中で１番目のアドレス領域Ｂ１との間は、光ピックアップ１４が１．５秒以内に移動できる範囲設定されており、言い換えると、全体的には第１の情報信号Ａと次に記録する第２の情報信号Ｂとの間を移動する光ピックアップ１４のシーク時間は最大で１．５秒以内である。
【００９８】
また、光ディスク１３の記録時に、ＡＶ−ＥＮＤＥＣ２０内のＭＰＥＧエンコーダは、第１，第２の情報信号Ａ，Ｂの転送レートＲａ，Ｒｂをユーザーが指定する記録モード（高画質用の転送レート８Ｍｂｐｓ，やや高画質用の転送レート４Ｍｂｐｓ，普通画質用の転送レート２Ｍｂｐｓ）により設定可能になっており、記録すべき第１，第２の情報信号Ａ，ＢをＡＶ−ＥＮＤＥＣ２０から信号処理回路２０（図１）に接続した６４Ｍｂのトラック・バッファメモリ１９の第１，第２の領域１９ａ，１９ｂに一時的に記憶させ、この時は光ピックアップ１４は待機状態として所定の記録すべき光ディスク１３上のトラックでキック待ちの状態としている。そして、トラック・バッファメモリ１９の各領域１９ａ，１９ｂ内の残量の制御を行いながら、トラック・バッファメモリ１９の各領域１９ａ，１９ｂの容量がＦＵＬＬ値になったら、光ディスク１３への記録時にエラー訂正コード、アドレスやシンク信号を加えて訂正単位のトラック・バッファメモリ１９の第１の領域１９ａに記憶した第１の情報信号Ａと、トラック・バッファメモリ１９の第２の領域１９ｂに記憶した第２の情報信号Ｂとを時分割で交互に読み出して、光ピックアップ１４により一定の転送レートＲｐで読み出した第１の情報信号Ａを光ディスク１３上の第１の領域１３ａに、第２の情報信号Ｂを光ディスク１３上の第２の領域１３ｂに時分割でそれぞれ交互に記録している。これを繰り返して、連続的な記録を行っている。
【００９９】
ここで、図８及び図９を用いて情報信号記録装置の動作について説明する。
尚、図９では、第１，第２の情報信号Ａ，Ｂの転送レートＲａ，Ｒｂは図示の都合上同一の転送レートで図示しているが、両者が異なる場合でも同じ傾向を示すものである。
【０１００】
まず、ステップＳ５１では、記録のフローを開始する。
【０１０１】
次に、ステップＳ５２では、光ピックアップ１４が光ディスク１３上で記録したい場所となる第１の領域１３ａ中で１番目のアドレス領域Ａ１（目的位置）に至ったか否かを確認する。ここで、アドレス領域Ａ１（目的位置）に至っていない場合はこのステップＳ５２を更に続行し、アドレス領域Ａ１（目的位置）に至った場合は次のステップＳ５３に進む。
【０１０２】
次に、ステップＳ５３では、ＡＶ−ＥＮＤＥＣ２０側から転送レートＲａで送られた第１の情報信号Ａをトラック・バッファメモリ１９の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、第１の情報信号ＡがＦＵＬＬ値に至るまで転送レートＲａで記憶される。
【０１０３】
次に、ステップＳ５４では、トラック・バッファメモリ１９内の第１の領域１９ａに記憶した第１の情報信号ＡがＦＵＬＬ値に至ったか否かを問い、ＦＵＬＬ値に至っていない場合にはステップＳ５３の動作を引き続き行い、ＦＵＬＬ値に至った場合には次のステップＳ５５に進む。
【０１０４】
次に、ステップＳ５５では、第１の情報信号ＡがＦＵＬＬ値になったら第１の情報信号Ａが一定の転送レートＲｐで光ピックアップ１４側に読み出されるので、図９に示したようにＦＵＬＬ値とＥＭＰＴＹ値との間では第１の情報信号Ａが差分（Ｒｐ−Ｒａ）の傾斜で減少しながら第１の情報信号Ａが光ピックアップ１４によって一定の転送レートＲｐで光ディスク１３上の第１の領域１３ａに記録される。
【０１０５】
次に、ステップＳ５６では、トラック・バッファメモリ１９内の第１の領域１９ａに記憶された第１の情報信号ＡがＥＭＰＴＹ値に至ったか否かを問い、ＥＭＰＴＹ値に至っていない場合にはステップＳ５５に戻り、ＥＭＰＴＹ値に至った場合には次のステップＳ５７に進む。
【０１０６】
次に、ステップＳ５７では、トラック・バッファメモリ１９内の第１の領域１９ａに記憶された第１の情報信号ＡがＥＭＰＴＹ値に至ったので、光ピックアップ１４は光ディスク１３上の第１の領域１３ａ中で１番目のアドレス領域Ａ１での記録を中止する。ここで、第１の情報信号Ａの記録が中止された段階から、トラック・バッファメモリ１９内の第１の領域１９ａに第１の情報信号ＡがＡＶ−ＥＮＤＥＣ２０側から転送レートＲａで引き続き送られるが、この書き込み動作は図９から明らかなようにＦＵＬＬ値に至るまでの期間が第１の領域１３ａ中で２番目のアドレス領域Ａ２を記録開始する前までに終了すれば良い。
【０１０７】
次に、ステップＳ５８では、光ピックアップ１４が次に記録する光ディスク１３上の第２の領域１３ｂ中で１番目のアドレス領域Ｂ１に移動する。この際、光ピックアップ１４が光ディスク１３上の第１の領域１３ａ中で１番目のアドレス領域Ａ１から第２の領域１３ｂ中で１番目のアドレス領域Ｂ１に移動するシーク時間Ｔａｂは最大で１．５秒以内である。
【０１０８】
次に、ステップＳ５９では、光ピックアップ１４が光ディスク１３上の第２の領域１３ｂのアドレス領域Ｂ１（目的位置）に至ったか否かを確認する。ここで、アドレス領域Ｂ１（目的位置）に至っていない場合はこのステップＳ５９を更に続行し、アドレス領域Ｂ１（目的位置）に至った場合は次のステップＳ６０に進む。
【０１０９】
次に、ステップＳ６０では、ＡＶ−ＥＮＤＥＣ２０側から転送レートＲｂで送られた第２の情報信号Ｂがトラック・バッファメモリ１９の第２の領域１９ｂにＦＵＬＬ値に至るまで転送レートＲｂで一時的に記憶される。
【０１１０】
次に、ステップＳ６１では、トラック・バッファメモリ１９内の第２の領域１９ｂに記憶した第２の情報信号ＢがＦＵＬＬ値に至ったか否かを問い、ＦＵＬＬ値に至っていない場合にはステップＳ６０の動作を引き続き行い、ＦＵＬＬ値に至った場合には次のステップＳ６２に進む。
【０１１１】
次に、ステップＳ６２では、第２の情報信号ＢがＦＵＬＬ値になったら第２の情報信号Ｂが一定の転送レートＲｐで光ピックアップ１４側に読み出されるので、図９に示したようにＦＵＬＬ値とＥＭＰＴＹ値との間では第２の情報信号Ｂが差分（Ｒｐ−Ｒｂ）の傾斜で減少しながら第２の情報信号Ｂが光ピックアップ１４によって一定の転送レートＲｐで光ディスク１３上の第２の領域１３ｂに記録される。
【０１１２】
次に、ステップＳ６３では、トラック・バッファメモリ１９内の第２の領域１９ｂに記憶された第２の情報信号ＢがＥＭＰＴＹ値に至ったか否かを問い、ＥＭＰＴＹ値に至っていない場合にはステップＳ６２に戻り、ＥＭＰＴＹ値に至った場合には次のステップＳ６４に進む。
【０１１３】
次に、ステップＳ６４では、トラック・バッファメモリ１９内の第２の領域１９ｂに記憶された第２の情報信号ＢがＥＭＰＴＹ値に至ったので、光ピックアップ１４は光ディスク１３上の第２の領域１３ｂのアドレス領域Ｂ１での記録を中止する。ここで、第２の情報信号Ｂの記録が中止された段階から、トラック・バッファメモリ１９内の第２の領域１９ｂに第２の情報信号ＢがＡＶ−ＥＮＤＥＣ２０側から引き続き送られるが、この書き込み動作は図９から明らかなようにＦＵＬＬ値に至るまでの期間が第２の領域１３ｂ中で２番目のアドレス領域Ｂ２を記録開始する前までに終了すれば良い。
【０１１４】
次に、ステップＳ６５では、光ピックアップ１４が次に記録する光ディスク１３上の第１の領域１３ａ中で２番目のアドレス領域Ａ２に移動する。この際、光ピックアップ１４が光ディスク１３上の第２の領域１３ｂ中で１番目のアドレス領域Ｂ１から第１の領域１３ａ中で２番目のアドレス領域Ａ２に移動するシーク時間Ｔｂａは最大で１．５秒以内である。
そして、光ピックアップ１４が光ディスク１３上の第１の領域１３ａ中で２番目の領域Ａ２に至ったらステップＳ５２に戻り以下同様に繰り返せば、光ピックアップ１４によって第１，第２の情報信号Ａ，Ｂをアドレス領域Ａ１，Ｂ１，Ａ２，Ｂ２，Ａ３，Ｂ３，……の順に時分割で交互に連続して記録できる。
【０１１５】
尚、光ピックアップ１４による記録を全部中止するフローは、ステップ５７の後、又は、ステップ６４の後で問い合わせれば良いが動作が複雑になるので、ここでは省略している。
【０１１６】
また、上記した記録のフローにおいて、トラック・バッファメモリ１９は最初の１回目のサイクルで空状態からＦＵＬＬ値に至るが、２回目以降のサイクルではＥＭＰＴＹ値とＦＵＬＬ値の間で記録容量Ｙａを有する第１の情報信号Ａと記録容量Ｙｂを有する第２の情報信号Ｂを記憶することになる。
【０１１７】
そして、上記した情報信号記録装置では、入出力の関係が逆になるももの、先に説明した（１式）乃至（１８式）を満たすものであり、ここでの詳述を省略する。
【０１１８】
＜情報信号記録再生装置＞
図１０は第１，第２の情報信号を光ディスクに記録する形態を適用した情報信号記録装置を模式的に示した図、図１１は第１，第２の情報信号を光ディスクに記録する状態を示したフローチャート、図１２は第１，第２の情報信号を光ディスクに記録する状態を示したタイミングチャートである。
【０１１９】
図１０に示した如く、情報信号記録再生装置は、先に説明した情報信号記録装置と情報信号再生装置とを組み合わせたものであり、第１，第２の転送レートＲａ，Ｒｂを有する第１，第２の情報信号Ａ，Ｂのうちでいずれか一方の情報信号Ａ（Ｂ）を光ディスク１３上の一方の領域１３ａ（１３ｂ）から光ピックアップ１４により時分割で再生して第１，第２の転送レートＲａ，Ｒｂより速い一定の転送レートＲｐでトラック・バッファメモリ１９の一方の領域１９ａ，（１９ｂ）に記憶させ、他方の情報信号Ｂ（Ａ）をトラック・バッファメモリ１９の他方の領域１９ｂ，（１９ａ）から光ピックアップ１４により一定の転送レートＲｐで読み出して光ディスク１３上の他方の領域１３ｂ（１３ａ）に時分割で記録している。
【０１２０】
ここで、図１１及び図１２を用いて情報信号記録再生装置の動作について説明する。尚、図１２では、第１，第２の情報信号Ａ，Ｂの転送レートＲａ，Ｒｂは図示の都合上同一の転送レートで図示しているが、両者が異なる場合でも同じ傾向を示すものである。
【０１２１】
まず、ステップＳ７１では、記録再生のフローを開始する。
【０１２２】
次に、ステップＳ７２では、光ピックアップ１４が光ディスク１３上で再生したい場所となる第１の領域１３ａ中で１番目のアドレス領域Ａ１（目的位置）に至ったか否かを確認する。ここで、アドレス領域Ａ１（目的位置）に至っていない場合はこのステップＳ７２を更に続行し、アドレス領域Ａ１（目的位置）に至った場合は次のステップＳ７３に進む。
【０１２３】
次に、ステップＳ７３では、光ピックアップ１４が第１の領域１３ａ中で１番目のアドレス領域Ａ１から再生を開始して第１の情報信号Ａを転送レートＲｐでトラック・バッファメモリ１９内の第１の領域１９ａに一時的に記憶させる。この際、システムコントローラ２２（図１）は、トラック・バッファメモリ１９内の第１の領域１９ａのＥＭＰＴＹ値とＦＵＬＬ値とを常に監視しており、最初の１回目のサイクルだけ第１の情報信号ＡがＥＭＰＴＹ値に至るまで転送レートＲｐで記憶される。
【０１２４】
次に、ステップＳ７４では、トラック・バッファメモリ１９内の第１の領域１９ａに記憶した第１の情報信号ＡがＥＭＰＴＹ値に至ったか否かを問い、ＥＭＰＴＹ値に至っていない場合にはステップＳ７３に戻り、一方、ＥＭＰＴＹ値に至った場合には次のステップＳ７５に進む。
【０１２５】
次に、ステップＳ７５では、第１の情報信号ＡがＥＭＰＴＹ値を越えたら第１の情報信号Ａが転送レートＲａでＡＶ−ＥＮＤＥＣ２０（図１）側に読み出されるので、図１２に示したようにＥＭＰＴＹ値とＦＵＬＬ値との間では第１の情報信号Ａがトラック・バッファメモリ１９の第１の領域１９ａに書き込まれる転送レートＲｐと、第１の情報信号Ａが第１の領域１９ａからＡＶ−ＥＮＤＥＣ２０側に読み出される転送レートＲａの差分（Ｒｐ−Ｒａ）の傾斜で増加しながら第１の情報信号Ａが第１の領域１９ａに一時的に記憶される。
【０１２６】
次に、ステップＳ７６では、トラック・バッファメモリ１９内の第１の領域１９ａに記憶された第１の情報信号ＡがＦＵＬＬ値に至ったか否かを問い、ＦＵＬＬ値に至っていない場合にはステップＳ７５に戻り、一方、ＦＵＬＬ値に至った場合には次のステップＳ７７に進む。
【０１２７】
次に、ステップＳ７７では、トラック・バッファメモリ１９内の第１の領域１９ａに記憶された第１の情報信号ＡがＦＵＬＬ値に至ったので、光ピックアップ１４は光ディスク１３上の第１の領域１３ａ中で１番目のアドレス領域Ａ１での再生を中止する。ここで、第１の情報信号Ａの再生が中止された段階から、トラック・バッファメモリ１９内の第１の領域１９ａに記憶された第１の情報信号ＡがＡＶ−ＥＮＤＥＣ２０側に転送レートＲａで引き続き読み出されるが、この読み出し動作は図１２から明らかなようにＥＭＰＴＹ値に至るまでの期間が第１の領域１３ａ中で２番目のアドレス領域Ａ２を再生開始する前までに終了すれば良い。
【０１２８】
次に、ステップＳ７８では、光ピックアップ１４が次に第２の情報信号Ｂを記録するために光ディスク１３上の第２の領域１３ｂ中で１番目のアドレス領域Ｂ１に移動する。この際、光ピックアップ１４が光ディスク１３上の第１の領域１３ａ中で１番目のアドレス領域Ａ１から第２の領域１３ｂ中で１番目のアドレス領域Ｂ１に移動するシーク時間Ｔａｂは最大で１．５秒以内である。
【０１２９】
次に、ステップＳ７９では、光ピックアップ１４が光ディスク１３上の第２の領域１３ｂのアドレス領域Ｂ１（目的位置）に至ったか否かを確認する。ここで、アドレス領域Ｂ１（目的位置）に至っていない場合はこのステップＳ７９を更に続行し、アドレス領域Ｂ１（目的位置）に至った場合は次のステップＳ８０に進む。
【０１３０】
次に、ステップＳ８０では、ＡＶ−ＥＮＤＥＣ２０側から転送レートＲｂで送られた第２の情報信号Ｂがトラック・バッファメモリ１９の第２の領域１９ｂにＦＵＬＬ値に至るまで転送レートＲｂで一時的に記憶される。
【０１３１】
次に、ステップＳ８１では、トラック・バッファメモリ１９内の第２の領域１９ｂに記憶した第２の情報信号ＢがＦＵＬＬ値に至ったか否かを問い、ＦＵＬＬ値に至っていない場合にはステップＳ８０に戻り、一方、ＦＵＬＬ値に至った場合には次のステップＳ８２に進む。
【０１３２】
次に、ステップＳ８２では、第２の情報信号ＢがＦＵＬＬ値になったら第２の情報信号Ｂが一定の転送レートＲｐで光ピックアップ１４側に読み出されるので、図１２に示したようにＦＵＬＬ値とＥＭＰＴＹ値との間では第２の情報信号Ｂが差分（Ｒｐ−Ｒｂ）の傾斜で減少しながら第２の情報信号Ｂが光ピックアップ１４によって一定の転送レートＲｐで光ディスク１３上の第２の領域１３ｂに記録される。
【０１３３】
次に、ステップＳ８３では、トラック・バッファメモリ１９内の第２の領域１９ｂに記憶された第２の情報信号ＢがＥＭＰＴＹ値に至ったか否かを問い、ＥＭＰＴＹ値に至っていない場合にはステップＳ８２に戻り、一方、ＥＭＰＴＹ値に至った場合には次のステップＳ８４に進む。
【０１３４】
次に、ステップＳ８４では、トラック・バッファメモリ１９内の第２の領域１９ｂに記憶された第２の情報信号ＢがＥＭＰＴＹ値に至ったので、光ピックアップ１４は光ディスク１３上の第２の領域１３ｂのアドレス領域Ｂ１での記録を中止する。ここで、第２の情報信号Ｂの記録が中止された段階から、トラック・バッファメモリ１９内の第２の領域１９ｂに第２の情報信号ＢがＡＶ−ＥＮＤＥＣ２０側から引き続き送られるが、この書き込み動作は図１２から明らかなようにＦＵＬＬ値に至るまでの期間が第２の領域１３ｂ中で２番目のアドレス領域Ｂ２を記録開始する前までに終了すれば良い。
【０１３５】
次に、ステップＳ８５では、光ピックアップ１４が次に第１の情報信号Ａを再生するために光ディスク１３上の第１の領域１３ａ中で２番目のアドレス領域Ａ２に移動する。この際、光ピックアップ１４が光ディスク１３上の第２の領域１３ｂ中で１番目のアドレス領域Ｂ１から第１の領域１３ａ中で２番目のアドレス領域Ａ２に移動するシーク時間Ｔｂａは最大で１．５秒以内である。
【０１３６】
そして、光ピックアップ１４が光ディスク１３上の第１の領域１３ａ中で２番目の領域Ａ２に至ったらステップＳ７２に戻り以下同様に繰り返せば、光ピックアップ１４によって第１，第２の情報信号Ａ，Ｂをアドレス領域Ａ１，Ｂ１，Ａ２，Ｂ２，Ａ３，Ｂ３，……の順に時分割で交互に連続して記録再生できる。この際、光ディスク１３上の第２の領域１３ｂ内の空き領域に記録した第２の情報信号Ｂのアドレス情報を記録終了後に管理領域１３ｃに記録している。
【０１３７】
尚、光ピックアップ１４による記録再生を全部中止するフローは、ステップ７９の後、又は、ステップ８６の後で問い合わせれば良いが動作が複雑になるので、ここでは省略している。
【０１３８】
また、上記した２つの情報信号の時分割記録再生のフローにおいて、トラック・バッファメモリ１９の第２の領域１９ｂは最初の１回目のサイクルで空状態からＦＵＬＬ値に至るが、２回目以降のサイクルではＥＭＰＴＹ値とＦＵＬＬ値の間で記録容量Ｙｂを有する第２の情報信号Ｂを記憶することになる。
【０１３９】
そして、上記した情報信号記録再生装置でも、先に説明した（１式）乃至（１８式）を満たすものであり、ここでの詳述を省略する。
【０１４０】
ここで、上記した情報信号記録再生装置において、例えば、最初に光ディスク１３から第１の情報信号Ａを再生している状態で、新たな第２の情報信号Ｂを記録する場合に、記録すべき第２の情報信号Ｂを入力し、第２の情報信号Ｂの転送レートＲｂを入力し設定することになる。この際、システムコントローラ２２は入力された第２の情報信号Ｂの転送レートＲｂの設定値と、現在再生している第１の情報信号Ａの転送レートＲａ及び光ディスク１３の管理領域の記録のための空き領域と、予め装置としてＲＯＭに記録されているシーク時間を、先に説明した（９式），（１０式），（１１式）に入れて、記録のための最小記録領域の容量を決定する。
【０１４１】
例えば、光ディスク１３に広い未記録領域しか無い場合は、前記の最小記録領域の容量は問題にならないが、編集を繰り返す等で、小さな未記録領域が点在するような場合は、前記の最小記録領域の容量よりも大きな空き領域の場合のみ記録でき、それより小さな空き領域では記録が出来ないことになる。
【０１４２】
このように、有効に領域が確保出来ない等の場合は、記録する第２の情報信号Ｂの転送レートＲｂとして指定された転送レートを下げ、これをユーザーに知らせ、この下げた値にて前記したように記録を行うことも可能である。
【０１４３】
次に、第１実施例の情報信号記録及び／又は再生装置１０Ａを一部変形した情報信号記録及び／又は再生装置１０Ｂについて図１３を用いて簡略に説明する。
【０１４４】
図１３は本発明に係る第１実施例を一部変形した変形例の情報信号記録及び／又は再生装置１０Ｂの全体構成を説明するためのブロック図である。
【０１４５】
図１３に示した第１実施例の変形例の情報信号記録及び／又は再生装置１０Ｂでは、光ディスクドライブＤ側として点鎖線で囲んだ枠内に光ディスク回転手段１１，１２，光ピックアップ１４，ドライバー回路１５，プリアンプ１６，サーボ回路１７がユニット化して設けられ、固体メモリＭ側として一点鎖線で囲んだ枠内に信号処理回路１８，トラック・バッファメモリ１９，ＡＶ−ＥＮＤＥＣ２０，バッファメモリ２１，システムコントローラ２２，複数のキー２３がユニット化して設けられており、固体メモリＭ側が光ディスクドライブＤ側に対して図示しないコネクタ接続により着脱自在になっている点が第１実施例と異なる点である。言い換えると、固体メモリＭ内のトラック・バッファメモリ１９又はバッファメモリ２１が光ディスクドライブＤ内の光ピックアップ１４側に対して着脱自在になっている。従って、固体メモリＭを光ディスクドライブＤに装着した時には第１実施例と同様に光ディスク１３から光ピックアップ１４により読み出した第１，第２の情報信号Ａ，Ｂのいずれか一方、又は両方を一時記憶し、固体メモリＭを光ディスクドライブＤから取り外した時にはトラック・バッファメモリ１９又はバッファメモリ２１に一時記憶した第１，第２の情報信号Ａ，Ｂのいずれか一方、又は両方を再生処理手段となるＡＶ−ＥＮＤＥＣ２０により再生できる。この際、トラック・バッファメモリ１９又はバッファメモリ２１の容量は６４Ｍビットあるので、オーディオ信号では１時間程度再生でき、ビデオ信号では１０分程度再生できる。上記によりトラック・バッファメモリ１９又はバッファメモリ２１を光ディスクドライブＤに装着した時には装置側としての機能を果たし、トラック・バッファメモリ１９又はバッファメモリ２１を光ディスクドライブＤから取り外した時には携帯用の固体メモリ再生装置としての機能を果たすことができる。
【０１４６】
＜第２実施例＞
図１４は本発明に係る第２実施例の情報信号通信装置の全体構成を説明するためのブロック図である。
尚、説明の便宜上、先に示した構成部材と同一構成部材に対しては同一の符号を付して適宜説明し、且つ、新たな構成部材に新たな符号を付す共に、この第２実施例では第１実施例と異なる点を中心に説明する。
【０１４７】
先に説明した第１実施例の情報信号記録及び／又は再生装置１０Ａが映像信号や音声信号を圧縮して伸張を行う行う光ディスクプレーヤであるのに対して、図１４に示した本発明に係る第２実施例の情報信号通信装置２５Ａでは圧縮伸張のブロックを持たない光ディスクドライブの構成である点と、この光ディスクドライブに設けたトラック・バッファメモリ１９の出力側に外部との通信接続を行う
ＡＴＡＰＩインターフェース２６設けている点と、外部にはホストコンピュータとして、ホスト２７と、ＡＶ−ＥＮＤＥＣ（オーディオ・ビデオ／エンコーダ・デコーダ）２０の圧縮伸張のブロックとが接続されている点とが異なるが、それ以外の部分は第１実施例と同様である。尚、上記した光ディスクドライブは、第１実施例の情報信号記録及び／又は再生装置１０ＡにおいてＡＶ−ＥＮＤＥＣ２０，バッファメモリ２１，キー２３を除いたものである。
【０１４８】
より具体的には、ＡＴＡＰＩインターフェース２６内にＩ／Ｆブロックがあり、また、ＡＶ−ＥＮＤＥＣ２０のＩ／Ｆ部分にＩ／Ｆブロックがあり、ＡＴＡＰＩインターフェース２６で接続し、コンピュータ周辺ディスク記憶装置のコマンドを規定している業界団体のマウントフジＭｔ．Ｆｕｊｉのコマンド体系を基本に光ディスクドライブの制御を行っている。
【０１４９】
つまり、先に説明した第１実施例においては、光ディスクプレーヤ１０の記録時に入力した第１，第２の情報信号Ａ，Ｂを分析してそれぞれの転送レートＲａ，Ｒｂを決定し、また、光ディスクプレーヤ１０の再生時に光ディスク１３の記録状態から第１，第２の情報信号Ａ，Ｂの転送レートＲａ，Ｒｂを計算により決定していたが、本発明の第２実施例においては、光ディスクドライブにキー入力部や光ディスク１３からのコントロールデータのデコード部を持たないために、記録時には記録する第１，第２の情報信号Ａ，Ｂの転送レートＲａ，Ｒｂがホスト側からＡＴＡＰＩインターフェース２６内のＩ／Ｆブロックを介して入力される。
【０１５０】
この際、記録処理の場合、例えば転送レート２Ｍｂｐｓのビデオ信号が入力されると、ホスト２７はＡＶ−ＥＮＤＥＣ２０のＩ／Ｆ部にその内容を転送し、下記のように記録コマンドと記録開始アドレス等の情報に加えて、前記の信号の転送レートフラグを光ディスクドライブに転送する。これを、光ディスクドライブの信号処理部分でデコードして、その種類に応じて前記のように記録処理を行う。
【０１５１】
次に、再生処理の場合、前記のようにマウントフジのコマンド体系に基づいて、再生のコマンドに従って、光ディスク１３の所定のアドレスに記録されている例えばビデオ信号を再生する。このデータをホスト２７が解釈し、前記のように転送レートを計算する。そして、例えば転送レート２Ｍｂｐｓのビデオ信号であることを、ホスト２７はＡＶ−ＥＮＤＥＣ２０内のＩ／Ｆ部にその内容を転送し、下記のように再生コマンドに加えて、前記の信号の転送レートフラグを転送する。これを、信号処理部分でデコードして、その転送レートに応じて前記のように再生処理を行う。
【０１５２】
なお、通信を行う実施例として外部との通信接続を行うＴＡＰＩインターフェース２６を用いて説明したが、ＩＥＥＥ１３９４等の規格でも良く、また、このようなケーブルも用いた通信以外の電波や光を利用した通信でもよい。また、記録再生されるべき信号は、映像データを主に説明したが、音声や音楽データでも、静止画、サブピクチャーでも良くまたこれらを復号した復号信号でも良いことは言うまでもない。つまり、ここで言う転送レートとは、平均的にデータをある程度の範囲の転送レートで転送しないと情報として成立しない範囲のデータの転送レートを示している。また、本実施例では、光ディスク１３を中心に説明しているが、例えば磁気ディスク装置のように複数のディスクと複数のヘッドを持ちこれを交互に切り換えながら、記録再生を行う装置にも適用でき、また、ディスクは螺旋状の連続的なトラックを想定しているが、同様に磁気ディスク装置のように複数の同心円状のトラックからなる場合も適用出来る。この場合は、連続的な記録再生においてトラックのキック動作が入るが、この動作もシーク時間として考えれば同様に適応可能である。また、記録再生の手順や、表示の内容ついては一実施例に過ぎずこの範囲に限定されるものではない。
【０１５３】
また、ここで信号の転送レートとは、ビデオやオーディオ等の連続的な信号を中心に説明しているが、所定の時間の中で処理されなければ意味をなさないコンピュータデータ等は、連続的なデータに属するし、一般的には時間軸上で画質等により刻々と変化する可変転送レートや固定転送レートを含んでいる。
【０１５４】
次に、第２実施例の情報信号通信装置２５Ａを一部変形した情報信号通信装置２５Ｂについて図１５を用いて簡略に説明する。
【０１５５】
図１５は本発明に係る第２実施例を一部変形した変形例の情報信号通信装置２５Ｂの全体構成を説明するためのブロック図である。
【０１５６】
図１５に示した第２実施例の変形例の情報信号通信装置２５Ｂでは、光ディスクドライブＤ側として点鎖線で囲んだ枠内に光ディスク回転手段１１，１２，光ピックアップ１４，ドライバー回路１５，プリアンプ１６，サーボ回路１７がユニット化して設けられ、固体メモリＭ側として一点鎖線で囲んだ枠内に信号処理回路１８，トラック・バッファメモリ１９，システムコントローラ２２がユニット化して設けられており、固体メモリＭ側が光ディスクドライブＤ側及びＡＴＡＰＩインターフェース２６側に対して図示しないコネクタ接続により着脱自在になっている点が第２実施例と異なる点である。言い換えると、固体メモリＭ内のトラック・バッファメモリ１９が光ディスクドライブＤ内の光ピックアップ１４側及びＡＴＡＰＩインターフェース２６側に対して着脱自在になっている。従って、固体メモリＭを光ディスクドライブＤ及びＡＴＡＰＩインターフェース２６に装着した時には第２実施例と同様に光ディスク１３から光ピックアップ１４により読み出した第１，第２の情報信号Ａ，Ｂのいずれか一方、又は両方を一時記憶し、固体メモリＭを光ディスクドライブＤ及びＡＴＡＰＩインターフェース２６側から取り外した時にはトラック・バッファメモリ１９に一時記憶した第１，第２の情報信号Ａ，Ｂのいずれか一方、又は両方を再生できる。この際、トラック・バッファメモリ１９の容量は６４Ｍビットあるので、オーディオ信号では１時間程度再生でき、ビデオ信号では１０分程度再生できる。
【図面の簡単な説明】
【０１５７】
【図１】本発明に係る第１実施例の情報信号記録及び／又は再生装置の全体構成を説明するためのブロック図である。
【図２】本発明に係る第１実施例の情報信号記録及び／又は再生装置において、光ディスク上の第１，第２の領域と、トラック・バッファメモリ上の第１，第２の領域との間で、第１，第２の情報信号を一つの光ピックアップにより時分割で記録及び／又は再生する状態を模式的に示した図である。
【図３】第１，第２の情報信号を光ディスクから再生する形態を適用した情報信号再生装置を模式的に示した図である。
【図４】光ディスク上で第１，第２の領域のアドレスを示した図である。
【図５】第１，第２の情報信号を光ディスクから再生する状態を示したフローチャートである。
【図６】第１，第２の情報信号を光ディスクから再生する状態を示したタイミングチャートである。
【図７】第１，第２の情報信号を光ディスクに記録する形態を適用した情報信号記録装置を模式的に示した図である。
【図８】第１，第２の情報信号を光ディスクに記録する状態を示したフローチャートである。
【図９】第１，第２の情報信号を光ディスクに記録する状態を示したタイミングチャートである。
【図１０】第１，第２の情報信号を光ディスクに記録再生する形態を適用した情報信号記録装置を模式的に示した図である。
【図１１】第１，第２の情報信号を光ディスクに記録再生する状態を示したフローチャートである。
【図１２】第１，第２の情報信号を光ディスクに記録再生する状態を示したタイミングチャートである。
【図１３】本発明に係る第１実施例を一部変形した変形例の情報信号記録及び／又は再生装置の全体構成を説明するためのブロック図である。
【図１４】本発明に係る第２実施例の情報信号通信装置の全体構成を説明するためのブロック図である。
【図１５】本発明に係る第２実施例を一部変形した変形例の情報信号記録及び／又は再生装置の全体構成を説明するためのブロック図である。
【符号の説明】
【０１５８】
１０Ａ，１０Ｂ…情報信号記録及び／又は再生装置、
１３…情報信号記録媒体（光ディスク）、
１３ａ…第１の領域、１３ｂ…第１の領域、
１４…ヘッド（光ピックアップ）、
１９…トラック・バッファメモリ、
１９ａ…第１の領域、１９ｂ…第１の領域、
２０…オーディオ・ビデオ／エンコーダ・デコーダ（ＡＶ−ＥＮＤＥＣ）、
２５Ａ，２５Ｂ……情報信号通信装置、
２６…ＡＴＡＰＩインターフェース。
【図１】
2008034097.tif 000003
【図２】
2008034097.tif 000004
【図３】
2008034097.tif 000005
【図４】
2008034097.tif 000006
【図５】
2008034097.tif 000007
【図６】
2008034097.tif 000008
【図７】
2008034097.tif 000009
【図８】
2008034097.tif 000010
【図９】
2008034097.tif 000011
【図１０】
2008034097.tif 000012
【図１１】
2008034097.tif 000013
【図１２】
2008034097.tif 000014
【図１３】
2008034097.tif 000015
【図１４】
2008034097.tif 000016
【図１５】
2008034097.tif 000017